(57)【要約】【課題】  送信側から受信側への片方向通信において、通信を良好に行えるようにすること。【解決手段】  送信機１０１は、同一の心拍データについて、送信レベルが第１レベルで送信番号を第１番目とする生体情報信号、及び、送信レベルが第２レベルで送信番号を第２番目とする生体情報信号を所定時間間隔で送信する。受信機１０２は、送信機１０１からの各生体情報信号を一定値に固定した受信感度で受信し、正常に受信した生体情報のデータを取り込んで保存し、その後に、送信番号が異なる同一データ内容の生体情報を受信した場合には当該後のデータは保存せずに破棄する。【選択図】  図１
2007174636.tif 000002
【特許請求の範囲】
【請求項１】
送信側から受信側へ信号を送信する通信方法において、
前記送信側は同一内容の情報を表す信号を所定間隔で複数回送信すると共に、前記送信側と受信側の少なくとも一方は、前記各信号を、通信レベルの異なる複数の通信状態で通信することを特徴とする通信方法。
【請求項２】
前記送信側は前記各信号を異なる送信レベルで送信し、前記受信側は前記各信号を一定の受信感度で受信することを特徴とする請求項１記載の通信方法。
【請求項３】
前記送信側は前記各信号を一定の送信レベルで送信し、前記受信側は前記各信号を異なる受信感度で受信することを特徴とする請求項１記載の通信方法。
【請求項４】
前記送信側は前記各信号中の少なくとも２つの信号を異なる送信レベルで送信し、前記受信側は前記各信号を少なくとも２つの異なる受信感度で受信することを特徴とする請求項１記載の通信方法。
【請求項５】
前記信号は無線信号であって、前記異なる送信レベルは、無線通信環境状態によって決定することを特徴とする請求項２又は４記載の通信方法。
【請求項６】
前記信号は無線信号であって、前記異なる受信感度は、無線通信環境状態によって決定することを特徴とする請求項３又は４記載の通信方法。
【請求項７】
前記受信側は、情報を記憶するための記憶手段を有し、前記同一内容の情報を表す信号の中の１つのみを前記記憶手段に保存することを特徴とする請求項１乃至６のいずれか一に記載の通信方法。
【請求項８】
前記信号には送信番号が付加されて成り、前記受信側は、前記信号中の送信番号に基づいて同一内容の情報か否かを判別し、前記同一内容の情報を表す信号の中の１つのみを前記記憶手段に保存することを特徴とする請求項７記載の通信方法。
【請求項９】
前記信号には送信番号が付加されて成り、前記受信側は、前記信号中の送信番号に基づいて次に受信すべきタイミングを判別し、同一内容の信号を受信することなく前記同一内容の情報を表す信号の中の１つのみを前記記憶手段に保存することを特徴とする請求項７記載の通信方法。
【請求項１０】
信号を送信する送信側手段と、前記送信側手段からの信号を受信する受信側手段を有する通信システムにおいて、
前記送信側手段は同一内容の情報を表す信号を所定間隔で複数回送信すると共に、前記送信側手段と受信側手段の少なくとも一方は、前記各信号を、通信レベルの異なる複数の通信状態で通信することを特徴とする通信システム。
【請求項１１】
前記送信側手段は前記各信号を異なる送信レベルで送信し、前記受信側手段は前記各信号を一定の受信感度で受信することを特徴とする請求項１０記載の通信システム。
【請求項１２】
前記送信側手段は前記各信号を一定の送信レベルで送信し、前記受信側手段は前記各信号を異なる受信感度で受信することを特徴とする請求項１０記載の通信システム。
【請求項１３】
前記送信側手段は前記各信号中の少なくとも２つの信号を異なる送信レベルで送信し、前記受信側手段は前記各信号を少なくとも２つの異なる受信感度で受信することを特徴とする請求項１０記載の通信システム。
【請求項１４】
前記信号は無線信号であって、かつ通信環境検出手段を有し、前記通信環境検出手段から得られる無線通信環境状態によって前記異なる送信レベルを決定することを特徴とする請求項１１又は１３記載の通信システム。
【請求項１５】
前記信号は無線信号であって、かつ通信環境検出手段を有し、前記通信環境検出手段から得られる無線通信環境状態によって前記異なる受信感度を決定することを特徴とする請求項１２又は１３記載の通信システム。
【請求項１６】
前記受信側手段は、情報を記憶するための記憶手段を有し、前記同一内容の信号の中の１つのみを前記記憶手段に保存することを特徴とする請求項１０乃至１５のいずれか一に記載の通信システム。
【請求項１７】
前記信号には所定の送信番号が付加されて成り、前記受信側手段は、前記信号中の送信番号に基づいて同一内容の情報か否かを判別し、前記同一内容の情報を表す信号の中の１つのみを前記記憶手段に保存することを特徴とする請求項１６記載の通信システム。
【請求項１８】
受信機に信号を送信する送信手段と、前記送信手段を制御する送信制御手段とを有する送信機において、
前記送信制御手段は、同一内容の情報を表す信号を異なる送信レベルで、所定間隔で複数回送信するように前記送信手段を制御することを特徴とする送信機。
【請求項１９】
前記送信制御手段は、前記各信号中の少なくとも２つの信号を異なる送信レベルで送信するように前記送信手段を制御することを特徴とする請求項１８記載の送信機。
【請求項２０】
前記信号は無線信号であって、かつ通信環境検出手段を有し、前記通信環境検出手段から得られる無線通信環境状態によって前記異なる送信レベルを決定することを特徴とする請求項１８又は１９記載の送信機。
【請求項２１】
前記信号には所定の送信番号が付加されて成ることを特徴とする請求項１８又は１９記載の送信機。
【請求項２２】
更に、生体情報を検出するセンサを有し、前記信号は前記生体情報に関する生体情報信号であることを特徴とする請求項１８乃至２１のいずれか一に記載の送信機。
【請求項２３】
送信機からの信号を受信する受信手段と、前記受信手段を制御する受信制御手段とを有する受信機において、
前記受信制御手段は、前記送信機から所定間隔で複数回送信された同一内容の情報を表す信号を異なる感度で受信するように前記受信手段を制御することを特徴とする受信機。
【請求項２４】
前記受信制御手段は、前記各信号を少なくとも２つの異なる受信感度で受信するように前記受信手段を制御することを特徴とする請求項２３記載の受信機。
【請求項２５】
前記信号は無線信号であって、かつ通信環境検出手段を有し、前記通信環境検出手段から得られる無線通信環境状態によって前記異なる受信感度を決定することを特徴とする請求項２３又は２４記載の受信機。
【請求項２６】
情報を記憶するための記憶手段を有し、前記受信制御手段は、前記受信手段で受信した前記同一内容の情報を含む信号中の１つのみを前記記憶手段に保存することを特徴とする請求項２３乃至２５のいずれか一つに記載の受信機。
【請求項２７】
前記信号には送信番号が付加されて成り、前記受信制御手段は、前記信号中の送信番号に基づいて同一内容の情報か否かを判別し、前記同一内容の情報を表す信号中の１つのみを前記記憶手段に保存することを特徴とする請求項２６記載の受信機。
【請求項２８】
前記信号は生体情報に関する生体情報信号であることを特徴とする請求項２３乃至２７のいずれか一に記載の受信機。
【請求項２９】
更に、前記生体情報を表示する表示手段を備えて成ることを特徴とする請求項２８記載の受信機。
【請求項３０】
生体情報に関する信号である生体情報信号を送信する送信側手段と、前記送信側手段からの生体情報信号を受信する受信側手段を有し、前記送信側手段及び受信側手段の少なくとも一方を使用者が携帯して使用する生体情報測定システムにおいて、
前記送信側手段は同一内容の情報を表す前記生体情報信号を所定間隔で複数回送信すると共に、前記送信側手段と受信側手段の少なくとも一方は、前記各生体情報信号を、通信レベルの異なる複数の通信状態で通信することを特徴とする生体情報測定システム。
【請求項３１】
前記送信側手段は前記各生体情報信号を異なる送信レベルで送信し、前記受信側手段は前記各生体情報信号を一定の受信感度で受信することを特徴とする請求項３０記載の生体情報測定システム。
【請求項３２】
前記送信側手段は前記各生体情報信号を一定の送信レベルで送信し、前記受信側手段は前記各生体情報信号を異なる受信感度で受信することを特徴とする請求項３０記載の生体情報測定システム。
【請求項３３】
前記送信側手段は前記各生体情報信号中の少なくとも２つの生体情報信号を異なる送信レベルで送信し、前記受信側手段は前記各生体情報信号を少なくとも２つの異なる受信感度で受信することを特徴とする請求項３０記載の生体情報測定システム。
【請求項３４】
前記生体情報信号は無線信号であって、かつ通信環境検出手段を有し、前記通信環境検出手段から得られる無線通信環境状態によって前記異なる送信レベルを決定することを特徴とする請求項３１又は３３記載の生体情報測定システム。
【請求項３５】
前記生体情報信号は無線信号であって、通信環境検出手段を有し、前記通信環境検出手段から得られる無線通信環境状態によって前記異なる受信感度を決定することを特徴とする請求項３２又は３３記載の生体情報測定システム。
【請求項３６】
前記受信側手段は、情報を記憶するための記憶手段を有し、前記同一内容の信号の中の１つのみを前記記憶手段に保存することを特徴とする請求項３０乃至３５のいずれか一に記載の生体情報測定システム。
【請求項３７】
前記信号には送信番号が付加されて成り、前記受信側手段は、前記信号中の送信番号に基づいて同一内容の情報か否かを判別し、前記同一内容の情報を表す信号の中の１つのみを前記記憶手段に保存することを特徴とする請求項３６記載の生体情報測定システム。
【請求項３８】
前記信号には送信番号が付加されて成り、前記受信側手段は、前記信号中の送信番号に基づいて次に受信すべきタイミングを判別し、同一内容の信号を受信することなく前記同一内容の情報を表す信号の中の１つのみを前記記憶手段に保存することを特徴とする請求項３６記載の生体情報測定システム。
【発明の詳細な説明】
【技術分野】
【０００１】
本発明は、送信側から受信側へ信号を送信する通信方法、送信側手段から受信側手段に信号を送信する通信システム、前記通信方法や通信システムに使用する送信機、受信機、及び、前記通信方法や通信システムと対応関係のある生体情報測定システムに関する。
【背景技術】
【０００２】
従来から、心拍、脈拍、歩数等の人の生体情報を測定する携帯型の生体情報測定システムが開発されている。前記生体情報測定システムは、一般に、使用者の生体情報を検出して前記生体情報に関する信号である生体情報信号を無線送信する送信側手段と、前記送信側手段からの生体情報信号を受信して表示等を行う受信側手段を有し、前記送信側手段及び受信側手段の少なくとも一方を使用者が携帯して使用するように構成されている。
【０００３】
例えば、携帯型生体情報測定システムの一種である携帯型の心拍測定システムとして、心拍を検出して心拍情報を無線送信する心拍計本体（送信側手段）を、チェストベルトで使用者の胸に圧接した状態で装着し、受信手段や表示手段等を有する腕時計型機器（受信側手段）を用いて、前記心拍計本体からの心拍情報を前記腕時計型機器の受信手段で受信し、該心拍情報を前記表示手段で表示するようにしたものが開発されている。
【０００４】
前記送信側手段から前記受信側手段への信号の送信は正確に行われる必要があるが、適切な通信が行われない場合がある。
【０００５】
一般に、送信側手段から受信側手段に無線で信号を送信する無線通信システムにおいて、適切な信号の送受信が出来ない場合の原因として、(1)通信距離が長くなることによる受信側手段の入力レベルの低下が原因とされる通信不良、(2)通信距離が短くなることによる受信側手段の入力レベルの過大が原因とされる通信不良、(3)受信すべき無線送信波以外の妨害波の影響が原因とされる通信不良、(4)通信環境が変化し通信可能距離が変化することが原因とされる通信不良がある。
【０００６】
これら全ての通信不良原因が想定される使用環境に置かれる無線通信システムを開発するにあたっては、前記各問題を全て解決する技術を兼ね備えた無線送受信機を開発する必要がある。
【０００７】
これらの問題を解決する手段として、例えば特許文献１に示すように、受信側手段の受信レベルを送信側手段にフィードバックすることにより、送信側手段の送信信号出力を受信側手段の受信状況に応じて変更するようにした発明がある。
【０００８】
しかしながら、前記特許文献１記載の発明のように、受信側手段の受信レベルをフィードバックして送信側手段の送信出力を調整するような方式では、必然的に双方向通信手段が前提となってしまい、構成が複雑になる。また、携帯ページング受信端末や、前述したような一定間隔でタイミング信号を送信する心拍計システム等、片方向通信システムの場合には適用できないという問題がある。
【特許文献１】特開２００４−２０１１５６号公報の段落〔００３０〕〜〔００５２〕及び図１〜図３
【発明の開示】
【発明が解決しようとする課題】
【０００９】
本発明は、送信側から通信側への通信を良好に行えるようにすることを課題としている。
【００１０】
また、本発明は、送信側から受信側への片方向通信において、通信を良好に行えるようにすることを課題としている。
【課題を解決するための手段】
【００１１】
本発明によれば、送信側から受信側へ信号を送信する通信方法において、前記送信側は同一内容の情報を表す信号を所定間隔で複数回送信すると共に、前記送信側と受信側の少なくとも一方は、前記各信号を、通信レベルの異なる複数の通信状態で通信することを特徴とする通信方法が提供される。
【００１２】
送信側は同一内容の情報を表す信号を所定間隔で複数回送信すると共に、前記送信側と受信側の少なくとも一方は、前記各信号を、通信レベルの異なる複数の通信状態で通信する。
【００１３】
ここで、前記送信側は前記各信号を異なる送信レベルで送信し、前記受信側は前記各信号を一定の受信感度で受信するように構成してもよい。
【００１４】
また、前記送信側は前記各信号を一定の送信レベルで送信し、前記受信側は前記各信号を異なる受信感度で受信するように構成してもよい。
【００１５】
また、前記送信側は前記各信号中の少なくとも２つの信号を異なる送信レベルで送信し、前記受信側は前記各信号を少なくとも２つの異なる受信感度で受信するように構成してもよい。
【００１６】
また、前記受信側は、情報を記憶するための記憶手段を有し、前記同一内容の情報を表す信号の中の１つのみを前記記憶手段に保存するように構成してもよい。
【００１７】
また、前記信号には送信番号が付加されて成り、前記受信側は、前記信号中の送信番号に基づいて同一内容の情報か否かを判別し、前記同一内容の情報を表す信号の中の１つのみを前記記憶手段に保存するように構成してもよい。
【００１８】
あるいは、前記送信番号に基づいて次に受信すべきタイミングを判別して同一内容の情報受信することなく、前記同一内容の情報を表す信号の中の１つのみを前記記憶手段に保存するように構成してもよい。
【００１９】
また、本発明によれば、信号を送信する送信側手段と、前記送信側手段からの信号を受信する受信側手段を有する通信システムにおいて、前記送信側手段は同一内容の情報を表す信号を所定間隔で複数回送信すると共に、前記送信側手段と受信側手段の少なくとも一方は、前記各信号を、通信レベルの異なる複数の通信状態で通信することを特徴とする通信システムが提供される。
【００２０】
送信側手段は同一内容の情報を表す信号を所定間隔で複数回送信すると共に、前記送信側手段と受信側手段の少なくとも一方は、前記各信号を、通信レベルの異なる複数の通信状態で通信する。
【００２１】
ここで、前記送信側手段は前記各信号を異なる送信レベルで送信し、前記受信側手段は前記各信号を一定の受信感度で受信するように構成してもよい。
【００２２】
また、前記送信側手段は前記各信号を一定の送信レベルで送信し、前記受信側手段は前記各信号を異なる受信感度で受信するように構成してもよい。
【００２３】
また、前記送信側手段は前記各信号中の少なくとも２つの信号を異なる送信レベルで送信し、前記受信側手段は前記各信号を少なくとも２つの異なる受信感度で受信するように構成してもよい。
【００２４】
また、前記受信側手段は、情報を記憶するための記憶手段を有し、前記同一内容の信号の中の１つのみを前記記憶手段に保存するように構成してもよい。
【００２５】
また、前記信号には送信番号が付加されて成り、前記受信側手段は、前記信号中の送信番号に基づいて同一内容の情報か否かを判別し、前記同一内容の情報を表す信号の中の１つのみを前記記憶手段に保存するように構成してもよい。
【００２６】
また、本発明によれば、受信機に信号を送信する送信手段と、前記送信手段を制御する送信制御手段とを有する送信機において、前記送信制御手段は、同一内容の情報を表す信号を異なる送信レベルで、所定間隔で複数回送信するように前記送信手段を制御することを特徴とする送信機が提供される。
【００２７】
送信制御手段は、同一内容の情報を表す信号を異なる送信レベルで、所定間隔で複数回送信するように送信手段を制御する。
【００２８】
ここで、前記送信制御手段は、前記各信号中の少なくとも２つの信号を異なる送信レベルで送信するように前記送信手段を制御するように構成してもよい。
【００２９】
また、前記信号には所定の送信番号が付加されて成るように構成してもよい。
【００３０】
また、更に、生体情報を検出するセンサを有し、前記信号は前記生体情報に関する生体情報信号であるように構成してもよい。
【００３１】
また、本発明によれば、送信機からの信号を受信する受信手段と、前記受信手段を制御する受信制御手段とを有する受信機において、前記受信制御手段は、前記送信側手段から所定間隔で複数回送信された同一内容の情報を表す信号を異なる感度で受信するように前記受信手段を制御することを特徴とする受信機が提供される。
【００３２】
受信制御手段は、送信機から所定間隔で複数回送信された同一内容の情報を表す信号を異なる感度で受信するように受信手段を制御する。
【００３３】
ここで、前記受信制御手段は、前記各信号を少なくとも２つの異なる受信感度で受信するように前記受信手段を制御するように構成してもよい。
【００３４】
また、情報を記憶するための記憶手段を有し、前記受信制御手段は、前記受信手段で受信した前記同一内容の情報を含む信号中の１つのみを前記記憶手段に保存するように構成してもよい。
【００３５】
また、前記信号には送信番号が付加されて成り、前記受信制御手段は、前記信号中の送信番号に基づいて同一内容の情報か否かを判別し、前記同一内容の情報を表す信号中の１つのみを前記記憶手段に保存するように構成してもよい。
【００３６】
また、前記信号は生体情報に関する生体情報信号であるように構成してもよい。
【００３７】
また、更に、前記生体情報を表示する表示手段を備えて成るように構成してもよい。
【００３８】
また、本発明によれば、生体情報に関する信号である生体情報信号を送信する送信側手段と、前記送信側手段からの生体情報信号を受信する受信側手段を有し、前記送信側手段及び受信側手段の少なくとも一方を使用者が携帯して使用する生体情報測定システムにおいて、前記送信側手段は同一内容の情報を表す前記生体情報信号を所定間隔で複数回送信すると共に、前記送信側手段と受信側手段の少なくとも一方は、前記各生体情報信号を、通信レベルの異なる複数の通信状態で通信することを特徴とする生体情報測定システムが提供される。
【００３９】
送信側手段は同一内容の情報を表す生体情報信号を所定間隔で複数回送信すると共に、前記送信側手段と受信側手段の少なくとも一方は、前記各生体情報信号を、通信レベルの異なる複数の通信状態で通信する。
【００４０】
ここで、前記送信側手段は前記各生体情報信号を異なる送信レベルで送信し、前記受信側手段は前記各生体情報信号を一定の受信感度で受信するように構成してもよい。
【００４１】
また、前記送信側手段は前記各生体情報信号を一定の送信レベルで送信し、前記受信側手段は前記各生体情報信号を異なる受信感度で受信するように構成してもよい。
【００４２】
また、前記送信側手段は前記各生体情報信号中の少なくとも２つの生体情報信号を異なる送信レベルで送信し、前記受信側手段は前記各生体情報信号を少なくとも２つの異なる受信感度で受信するように構成してもよい。
【００４３】
また、前記受信側手段は、情報を記憶するための記憶手段を有し、前記同一内容の信号の中の１つのみを前記記憶手段に保存するように構成してもよい。
【００４４】
また、前記信号には送信番号が付加されて成り、前記受信側手段は、前記信号中の送信番号に基づいて同一内容の情報か否かを判別し、前記同一内容の情報を表す信号の中の１つのみを前記記憶手段に保存するように構成してもよい。
【００４５】
あるいは、前記受信がわ手段は前記送信番号に基づいて次に受信すべきタイミングを判別して同一内容の情報受信することなく、前記同一内容の情報を表す信号の中の１つのみを前記記憶手段に保存するように構成してもよい。
【００４６】
また、本発明によれば、前期信号が無線信号である場合、前記通信方法及び前記通信システム及び前記送信機及び前記受信機及び前記生体情報計測システムのいずれの場合においても、通信環境検出手段を有することで、通信環境検出状態に応じて、前記異なる送信レベル又は前記異なる受信感度を決定するよう構成してもよい。
【発明の効果】
【００４７】
本発明によれば、送信側から受信側への通信時に、通信不良の発生を抑制して、通信を良好に行うことが可能になる。
【００４８】
また、本発明によれば、送信側手段から受信側手段へ信号を送信する片方向通信において、通信不良の発生を抑制して、通信を良好に行うことが可能になる。
【００４９】
また、本発明によれば、通信距離の変動による通信不良の発生を抑制することができるため、送信側手段と受信側手段間の通信距離が変動した場合でも通信を良好に行うことが可能になる。
【００５０】
また、耐ノイズ性が向上するという効果をも奏する。
【００５１】
また、通信環境の変化した場合でも、通信を良好に行うことが可能になる。
【発明を実施するための最良の形態】
【００５２】
以下、本発明の実施の形態に係る通信方法、通信システム、送信機、受信機及び生体情報測定システムについて説明する。尚、本実施の形態では、前記通信方法や通信システムと対応関係のある生体情報測定システムとして、心拍を検出して心拍情報を無線送信する心拍計本体（送信側手段）を、チェストベルトで使用者の胸に圧接した状態で装着し、受信手段や表示手段等を有する腕時計型機器（受信側手段）を用いて、前記心拍計本体からの心拍情報を前記腕時計型機器の受信手段で受信し、該心拍情報を前記表示手段で表示するようにした携帯型心拍計システムの例で説明する。
【００５３】
図１は、本発明の第１の実施の形態に係る心拍計システムのブロック図である。
【００５４】
図１において、心拍計システムは、生体信号である使用者１００の心拍を測定して、前記心拍の情報を表す生体情報信号を送信する送信側手段としての生体情報送信機１０１と、送信機１０１からの生体情報信号を受信する受信側手段としての生体情報受信機１０２とを備えている。
【００５５】
送信機１０１はチェストベルト（図示せず）に一体的に装着されており、使用者１００の胸に装着して使用される。受信機１０２は、例えば、腕時計型の外観を有し、使用者１００の腕に装着して使用される。送信機１０１と受信機１０２との間で通信が可能なように構成されており、無線（例えば、電磁誘導）によって、送信機１０１から受信機１０２に対して、生体情報信号の片方向送信が行われる。また、送信機１０１は人体１００の心拍を検出し、単位時間当たりの心拍数を生体情報信号として受信機１０２に送信し、受信機１０２側で心拍数の表示等を行うように構成されている。
【００５６】
送信機１０１は、心拍を検出して、前記心拍に関する生体情報信号の送信制御を行う心拍検出・送信制御部１０３、送信用の心拍数データ等のデータを記憶する第１記憶手段としてのメモリ１１０、出力信号レベルの変更制御が可能であると共に送信出力データ信号を受信して生体情報信号として出力する送信出力回路１１１、生体情報信号を無線送信するためのアンテナ１１２を備えている。心拍検出・送信制御部１０３は送信制御手段を構成し又、送信出力回路１１１及び送信用アンテナ１１２は送信手段を構成している。
【００５７】
心拍検出・送信制御部１０３は、人体の心拍を検出するセンサ１０５を有する生体情報検出部１０４、生体情報検出部１０４で検出した心拍に基づいて単位時間当たりの心拍数を算出し、該心拍データを生体情報としてメモリ１１０に記憶する生体データ蓄積処理部１０６、メモリ１１０に前記生体情報が記憶されたときにメモリ１１０から読み出して送信処理の制御を行う送信データ処理部１０７、送信データ処理部１０７が読み出した生体情報を送信に適した信号形式（例えば、シリアル信号）に変換して、送信出力データ信号として前記生体情報を送信出力回路１１１に出力するデータ送信部１０８、送信出力回路１１１の出力レベルを切替え制御する送信出力レベル切り替え部１０９を備えている。
【００５８】
詳細な動作は後述するが、送信機１０１は、同一の心拍データについて、送信レベルが第１レベル（例えば大レベル）で送信番号を第１番目とする生体情報信号、及び、送信レベルが前記第１レベルとは異なるレベル（例えば小レベル）の第２レベルで、送信番号が前記第１番目とは異なる番号（この場合、第２番目）とする生体情報信号を所定時間間隔（例えば１秒間隔）で送信し、測定した各心拍データについて、前記動作を所定時間間隔で繰り返している。例えば、１つの心拍データについて２つのレベルで送信する場合、第１番目と第２番目の信号の送信に要する時間は計２秒間であるため、各心拍データについて時間的に連続して送信する場合には、各心拍データは２秒間隔で送信されることになる。これにより、送信機１０１は、センサ１０５が測定した心拍を表す各生体情報を、前記所定時間間隔で送信する。
【００５９】
一方、受信機１０２は、受信用アンテナ１２０、アンテナ１２０で受信した生体情報信号を検波及び増幅して受信入力データ信号として出力する受信入力回路１１９、生体情報等のデータを記憶する第２記憶手段としてのメモリ１１８、受信入力回路１１９からの受信入力データ信号を受信して生体情報としてメモリ１１８に記憶すると共にメモリ１１８に記憶された生体情報に基づいて心拍数の表示等を行うデータ受信・心拍表示制御部１１３を備えている。データ受信・心拍表示制御部１１３は受信制御手段を構成し、又、受信入力回路１１９及びアンテナ１２０は受信手段を構成している。
【００６０】
データ受信・心拍表示制御部１１３は、受信入力回路１１９からの受信入力データ信号を受信して生体情報として出力するデータ受信部１１７、データ受信部１１７からの生体情報をメモリ１１８に記憶処理する受信データ処理部１１６、メモリ１１８に生体情報が記憶されたことを検出して、前記生体情報を表示に適した形式の心拍情報を出力する生体データ表示処理部１１５、生体データ表示処理部１１５からの心拍情報に対応する心拍数を表示する表示手段としての生体情報表示部１１４を備えている。
【００６１】
詳細な動作は後述するが、受信機１０２は、送信機１０１からの各生体情報信号を一定値に固定した受信感度で受信し、正常に受信した生体情報のデータを取り込んでメモリ１１８に保存し、その後に、同一データ内容で送信番号の異なる生体情報信号を受信した場合には、該後の生体情報は保存せずに破棄するように構成している。
【００６２】
図２は、送信機１０１の処理を示すフローチャートである。また、図３は、受信機１０２の処理を示すフローチャートである。
【００６３】
以下、図１〜図３を参照して、本発明の第１の実施の形態の動作を説明する。
【００６４】
センサ１０５が人体１００の生体情報（本実施の形態では心拍）を検出すると（ステップＳ２０１）、生体情報検出部１０４は波形整形等の処理を行って通信に適した電気信号への変換処理を行って、該生体情報を出力する（ステップＳ２０２）。
【００６５】
次に、生体データ蓄積処理部１０６は、前記生体情報検出部１０４からの生体情報に基づいて、単位時間当たりの心拍数を算出し（ステップＳ２０３）、前記心拍数のデータを生体情報としてメモリ１１０に記憶する（ステップＳ２０４）。
【００６６】
送信データ処理部１０７は、メモリ１１０に生体情報（心拍データ）が記憶されたことを検出して、メモリ１１０から前記生体情報を読み出し（ステップＳ２０５）、図１７に示す生体情報信号に変換する（ステップＳ２０６）。即ち、図１７において、生体情報信号は、心拍データ等の生体情報を格納する生体情報部と、同一の生体情報を複数回（本実施の形態では２回）送信する際に何番目（例えば、１番目）に送信する生体情報なのかを表す送信番号データを格納する送受信情報部とを有している。
【００６７】
送信データ処理部１０７は、メモリ１１０から読み出した心拍データを生体情報部に格納すると共に、何番目に送信するデータなのかを表す送信番号データを送受信情報部に格納することによって、生体情報信号を生成し、前記生体情報信号をデータ送信部１０８に出力する。
【００６８】
同時に、送信データ処理部１０７は、送信信号の出力レベルを第１レベル（本実施の形態では大レベル）にするように、送信出力レベル切り替え部１０９に対して指示信号を出力する。送信出力レベル切り替え部１０９は、送信データ処理部１０７からの前記指示信号に応答して送信出力制御信号を送信出力回路１１１に出力し、送信出力回路１１１の出力信号レベルが第１レベルになるように制御する（ステップＳ２０７）。
【００６９】
データ送信部１０８は、送信データ処理部１０７からの生体情報信号をシリアル信号に変換する等して前記生体情報信号を変調処理して、送信出力データ信号として送信出力回路１１１に出力する（ステップＳ２０８）。
【００７０】
送信出力回路１１１は、送信出力レベル切り替え部１０９からの送信出力制御信号に応答して、自身の送信出力レベルを第１レベルに設定し、前記送信出力データ信号を生体情報信号として、アンテナ１１２を介して第１送信レベルで出力する（ステップＳ２０９）。
【００７１】
一方、受信機１０２側では、受信入力回路１１９が、アンテナ１２０を介して、送信機１０１から前記第１レベルの生体情報信号を受信し、受信入力データ信号として前記第１レベルの生体情報をデータ受信部１１７に出力する（図３のステップＳ３０１）。
【００７２】
データ受信部１１７は、前記第１レベルの生体情報を復調して受信データ処理部１１６に出力する（ステップＳ３０２）。
【００７３】
受信データ処理部１１６は、データ受信部１１７からの前記生体情報のエラーチェックを行うことにより、正常なデータを生体情報として受信したか否かを判断する（ステップＳ３０３）。
【００７４】
受信データ処理部１１６は、ステップＳ３０３において、データ受信部１１７から正常な生体情報信号を受信していないと判断した場合（即ち、データ受信に失敗したと判断した場合）、ステップＳ３０１に戻る。
【００７５】
受信データ処理部１１６は、ステップＳ３０３において、データ受信部１１７から正常な生体情報信号を受信したと判断した場合（即ち、データ受信に成功したと判断した場合）、生体情報信号に含まれる送信番号を検査し（ステップＳ３０４）、既に受信済みデータと同一のデータか否かを判断する（ステップＳ３０５）。即ち、受信データ処理部１１６は、ステップ３０５において、前回正常に受信した生体情報の送信番号よりも大きい値の送信番号の場合には、同一内容のデータと判断して、今回受信したデータを保存せずに破棄してステップＳ３０１に戻る（ステップＳ３１０）。受信データ処理部１１６は、今回受信した生体情報が、初めて受信した生体情報であると判断した場合には、該生体情報をメモリ１１８に格納可能な形式に変更して、メモリ１１８に記憶して保存する（ステップＳ３０６）。
【００７６】
次に、生体データ表示処理部１１５は、メモリ１１８に記憶した前記生体情報を読み出して（ステップＳ３０７）、表示可能な表示データに変換し（ステップＳ３０８）、生体情報表示部１１４に出力して、ステップＳ３０１に戻る（ステップＳ３０９）。
【００７７】
生体情報表示部１１４は、生体データ表示処理部１１５からの表示データを受信して、対応する生体情報の表示を行う。これにより、生体情報表示部１１４では、送信機１０１で測定した心拍数が表示される。
【００７８】
一方、送信機１０１側では、送信出力回路１１１がステップＳ２０９において第１レベルの生体情報信号として送信した後、送信データ処理部１０７は、前記送信した生体情報と同一内容の心拍データに異なる送信番号を付加して、新たな生体情報信号を生成し（ステップＳ２１０）、送信データ処理部１０７は、前記生体情報信号をデータ送信部１０８に出力する。今回生成した生体情報信号は、生体情報部に含まれる生体情報（心拍データ）は前回送信した生体情報信号と同一内容であり、送信番号データが前回のものとは異なっている（例えば、今回の送信番号は第２番目である。）。
【００７９】
同時に、送信データ処理部１０７は、送信信号の出力レベルを前記第１レベルとは異なるレベルの第２レベル（本実施の形態では前記第１レベルよりも小レベル）にするように、送信出力レベル切り替え部１０９に対して指示信号を出力する。送信出力レベル切り替え部１０９は、送信データ処理部１０７からの前記指示信号に応答して送信出力制御信号を送信出力回路１１１に出力し、送信出力回路１１１の出力信号レベルが第２レベルになるように制御する（ステップＳ２１１）。
【００８０】
データ送信部１０８は、送信データ処理部１０７からの生体情報信号をシリアル信号に変換する等して前記生体情報信号を変調処理して、送信出力データ信号として送信出力回路１１１に出力する（ステップＳ２１２）。
【００８１】
送信出力回路１１１は、送信出力レベル切り替え部１０９からの送信出力制御信号に応答して、自身の送信出力レベルを第２レベルに設定し、前記送信出力データ信号を第２レベルの生体情報信号として、アンテナ１１２を介して出力した後、ステップＳ２０１に戻る（ステップＳ２１３）。尚、前記第１レベルでの信号送信と第２レベルでの信号送信は、各々、１秒間で行われるため、前記両信号送信は１秒間隔で行われることになる。
【００８２】
受信機１０２では、受信入力回路１１９が、アンテナ１２０を介して、送信機１０１から前記第２レベルの生体情報を受信し、受信入力データ信号として前記第２レベルの生体情報をデータ受信部１１７に出力する（図３のステップＳ３０１）。
【００８３】
以下、受信機１０２では、前述したようにして、ステップＳ３０２〜Ｓ３１０の処理を実行する。この場合、受信データ処理部１０６は、生体情報信号に含まれる送信番号を検査して、既に受信済みデータと同一のデータか否かを判断し（ステップＳ３０４、Ｓ３０５）、今回受信した生体情報信号の送信番号が前回受信した生体情報信号の送信番号よりも大きい値であるため同一内容のデータと判断して、今回受信したデータはメモリ１１８には保存せずに破棄してステップＳ３０１に戻ることになる（ステップＳ３１０）。
【００８４】
以上述べたように、本第１の実施の形態によれば、送信機１０１から出力する信号レベルを可変に構成すると共に、受信機１０２の受信感度を所定値に固定している。
【００８５】
即ち、送信機１０１は、データが同一内容の生体情報信号を異なる送信レベルで所定間隔で複数回送信し、受信機１０２が前記各生体情報信号を一定に固定した受信感度で、前記所定間隔で受信し、正常に受信したデータをメモリ１１８に取り込んで保存し、その後に同一データ内容で送信番号が異なる生体情報信号を受信しても保存せずに破棄するように構成している。
【００８６】
したがって、送信機１０１と受信機１０２との間の距離が大きく変動した場合でも、近距離時は送信レベルが低いときに受信入力レベルの過大現象が抑制されて通信状態が良好となり、遠距離時は送信レベルが大きいときに通信が良好となることで通信不良の発生を抑制して、良好な通信状況を維持することが可能になる。また、送信機１０１から受信機１０２への送信という片方向通信において、通信不良の発生を抑制して、通信を良好に行うことが可能になる。
【００８７】
また、複数回送信される同一データ内容の生体情報のうち、いずれかの生体情報を適切に受信した場合には、再び同一内容のデータを保存することなく、次の異なるデータ内容の生体情報を第１番目から受信するように構成できるので、適切な受信か可能になる。
【００８８】
図４は、本発明の第２の実施の形態に係る心拍計システムに使用する受信機４０２のブロック図である。本第２の実施の形態も、前記第１の実施の形態と同様に、送信機から出力する送信信号レベルを複数に変更可能に構成すると共に受信機の受信感度を所定値に固定するように構成している点では、前記第１の実施の形態と共通している。
【００８９】
但し、受信側手段としての受信機４０２は、受信タイミングを決定するための受信タイミング信号を発生する受信タイミング信号発生部４２１を備えている点で、図１の受信機１０２と相違している。同一データの保存を防止する場合、前記第１の実施の形態では、同一内容のデータで送信番号が異なる生体情報信号は、一旦受信した後に、保存せずに破棄するように構成したが、本第２の実施の形態においては、生体情報信号を受信した後、所定時間経過するまで次の生体情報信号の受信を行わないようにしている。
【００９０】
図４において、受信機４０２は、受信用アンテナ４２０、アンテナ４２０で受信した生体情報信号を検波及び増幅して受信入力データ信号として出力する受信入力回路４１９、生体情報等のデータを記憶する第２記憶手段としてのメモリ４１８、受信入力回路４１９からの受信入力データ信号を受信して生体情報としてメモリ４１８に記憶すると共にメモリ４１８に記憶された生体情報に基づいて心拍数の表示等を行うデータ受信・心拍表示制御部４１３を備えている。データ受信・心拍表示制御部４１３は受信制御手段を構成し、又、受信入力回路４１９及びアンテナ４２０は受信手段を構成している。
【００９１】
データ受信・心拍表示制御部４１３は、受信入力回路４１９からの受信入力データ信号を受信して生体情報として出力するデータ受信部４１７、データ受信部４１７からの生体情報をメモリ４１８に記憶処理する受信データ処理部４１６、メモリ４１８に生体情報が記憶されたことを検出して、前記生体情報を表示に適した形式の心拍情報を出力する生体データ表示処理部４１５、生体データ表示処理部４１５からの心拍情報に対応する心拍数を表示する表示手段としての生体情報表示部４１４、受信タイミングを決定するための受信タイミング信号を発生する受信タイミング信号発生部４２１を備えている。
【００９２】
本第２の実施の形態においては、送信側手段としての送信機は図１に示した送信機１０１と同一構成であり、その動作も図２のフローチャートと同一である。
【００９３】
図５は、本第２の実施の形態に係る心拍計システムの動作を説明するためのフローチャートであり、受信機４０２の動作を示すフローチャートである。
【００９４】
以下、図４及び図５を用いると共に、図１〜図３を適宜参照して、本第２の実施の形態の動作を説明する。尚、前記第１の実施の形態と同一の部分については説明を省略又は簡略化して説明する。
【００９５】
送信機１０１は、前記の如くして、同一の心拍データについて、送信レベルが第１レベルで送信番号を第１番目とする生体情報信号と送信レベルが第２レベルで送信番号を第２番目とする生体情報信号を所定時間間隔で送信すると共に、測定した各心拍データについて、時間的に連続して前記送信動作を行う。これにより、送信機１０１は所定時間間隔で、測定した生体情報信号の送信を行っている。
【００９６】
受信機４０２の受信入力回路４１９は、アンテナ４２０を介して、送信機１０１から前記第１レベルの生体情報信号を受信して、受信入力データ信号として前記第１レベルの生体情報をデータ受信部４１７に出力する（図５のステップＳ５０１）。
【００９７】
データ受信部４１７は、前記第１レベルの生体情報を復調して受信データ処理部４１６に出力する（ステップＳ５０２）。
【００９８】
受信データ処理部４１６は、データ受信部４１７からの前記生体情報のエラーチェックを行うことにより、正常なデータを生体情報として受信したか否かを判断する（ステップＳ５０３）。
【００９９】
受信データ処理部４１６は、ステップＳ５０３において、データ受信部４１７から正常な生体情報信号を受信していないと判断した場合（即ち、データ受信に失敗したと判断した場合）、ステップＳ５０１に戻る。
【０１００】
一方、受信データ処理部４１６は、ステップＳ５０３において、データ受信部４１７から正常な生体情報信号を受信したと判断した場合（即ち、データ受信に成功したと判断した場合）、生体情報に含まれる送信番号を検査した後（ステップＳ５０４）、受信タイミング発生部４２１が受信タイミングの同期化を行う（ステップＳ５０５）。
【０１０１】
受信タイミング発生部４２１は、ステップＳ５０５の受信タイミング同期化において、送信機１０１が次の新しい生体情報を出力するタイミングまでの計時動作を開始し、前記計時動作を行っている間、受信データ処理部４１６に対して受信動作を停止するように停止指示信号を出力する。受信データ処理部４１６は、受信タイミング発生部４２１からの停止指示信号に応答して、受信入力回路４１９の電源供給を停止する等して、受信動作を停止する。
【０１０２】
次に、受信データ処理部４１６は、前記受信した生体情報をメモリ４１８に格納可能な形式に変更して、メモリ４１８に記憶して保存する（ステップＳ５０６）。
【０１０３】
次に、生体データ表示処理部４１５は、メモリ４１８に記憶した前記生体情報を読み出して（ステップＳ５０７）、表示可能な表示データに変換し（ステップＳ５０８）、表示手段としての生体情報表示部４１４に出力する（ステップＳ５０９）。生体情報表示部４１４は、生体データ表示処理部４１５からの表示データを受信して、対応する生体情報の表示を行う。これにより、生体情報表示部４１４では、送信機１０１で測定した心拍数が表示される。
【０１０４】
一方、受信タイミング発生部４２１は、ステップＳ５０５で計時動作を開始した後、前記所定時間経過したと判断すると、前記受信動作停止を解除するための解除指示信号を受信データ処理部４１６に出力する。受信データ処理部４１６は、次の新たな生体情報を受信して処理すべく、受信入力回路４１９の受信動作を再開させ、ステップＳ５０１に戻って、前記処理を繰り返す（ステップＳ５１０）。
【０１０５】
本第２の実施の形態によれば、前記第１の実施の形態と同様の効果を奏することが可能になる。また、本第２の実施の形態では、受信機４０２が送信機１０１から生体情報を正常に受信した後、受信タイミング発生部４２１で所定時間計時するまでは、生体情報信号の受信動作は行わないので、同一データ内容で送信番号の異なる生体情報は受信しない。したがって同一データ内容で送信番号の異なる生体情報を破棄処理する必要が無いため処理が簡単になり、又、前記所定時間の間は、受信入力回路４１９等の電源を遮断しておくことが可能になるため、省電力化が可能になるという効果を奏する。
【０１０６】
また、複数回送信される同一データ内容の生体情報のうち、いずれかの生体情報を適切に受信した場合には、再び同一内容のデータを保存することなく、次の異なるデータ内容の生体情報を第１番目から受信するように構成できるので、適切な受信か可能になる。
【０１０７】
図６は、本発明の第３の実施の形態に係る心拍計システムのブロック図である。本第３の実施の形態は、送信機から出力する信号レベルを所定値に固定して出力するように構成すると共に、受信機の受信感度を複数の値に変更するように構成している。
【０１０８】
図６において、心拍計システムは、生体信号である使用者６００の心拍を測定して、前記心拍の情報を表す生体情報信号を送信する送信側手段としての送信機６０１と、送信機６０１からの生体情報信号を受信する受信側手段としての受信機６０２とを備えている。
【０１０９】
送信機６０１はチェストベルト（図示せず）に一体的に装着されており、使用者６００の胸に装着して使用される。受信機６０２は、例えば、腕時計型の外観を有し、使用者６００の腕に装着して使用される。送信機６０１と受信機６０２との間で通信が可能なように構成されており、無線（例えば、電磁誘導）によって、送信機６０１から受信機６０２に信号の送信が行われる。送信機６０１は人体の心拍を検出し、単位時間当たりの心拍数を生体情報信号として受信機６０２に送信し、受信機６０２側で心拍数の表示等を行うように構成されている。
【０１１０】
送信機６０１は、心拍を検出して、前記心拍に関する生体情報信号の送信制御を行う心拍検出・送信制御部６０３、心拍数データ等のデータを記憶する第１記憶手段としてのメモリ６１０、送信出力データ信号を受信して生体情報信号として出力する送信出力回路６１１、生体情報信号を無線送信するためのアンテナ６１２を備えている。心拍検出・送信制御部６０３は送信制御手段を構成し、又、送信出力回路６１１及び送信用アンテナ６１２は送信手段を構成している。
【０１１１】
心拍検出・送信制御部６０３は、人体の心拍を検出するセンサ６０５を有する生体情報検出部６０４、生体情報検出部６０４で検出した心拍に基づいて単位時間当たりの心拍数を算出して生体情報としてメモリ６１０に記憶する生体データ蓄積処理部６０６、第１記憶手段としてのメモリ６１０に前記生体情報が記憶されたときにメモリ６１０から読み出して送信処理の制御を行う送信データ処理部６０７、送信データ処理部６０７が読み出した生体情報を送信に適した信号形式（例えば、シリアル信号）に変換して送信出力データ信号として生体情報を送信出力回路６１１に出力するデータ送信部６０８を備えている。
【０１１２】
詳細な動作は後述するが、送信機６０１は、同一の心拍データについて、送信レベルが所定値に固定されて送信番号を第１番目とする生体情報信号と、送信レベルが前記所定値と同一値で送信番号を第２番目とする生体情報信号とを所定時間間隔（例えば１秒間隔）で送信する。また、送信機６０１は、測定した各心拍データについて、前記動作を所定時間間隔（送信番号が前記２つの場合には２秒間隔）で繰り返し、これにより、送信機６０１は所定時間間隔で、各生体情報に関連する生体情報信号の送信を行うように構成されている。
【０１１３】
一方、受信機６０２は、受信用アンテナ６２０、アンテナ６２０で受信した生体情報信号を検波及び増幅して受信入力データ信号として出力する受信入力回路６１９、生体情報等のデータを記憶する第２記憶手段としてのメモリ６１８、受信入力回路６１９からの受信入力データ信号を受信して生体情報としてメモリ６１８に記憶すると共にメモリ６１８に記憶された生体情報に基づいて心拍数の表示等を行うデータ受信・心拍表示制御部６１３を備えている。データ受信・心拍表示制御部６１３は受信制御手段を構成し、又、受信入力回路６１９及びアンテナ６２０は受信手段を構成している。
【０１１４】
データ受信・心拍表示制御部６１３は、受信入力回路６１９からの受信入力データ信号を受信して生体情報として出力するデータ受信部６１７、データ受信部６１７からの生体情報をメモリ６１８に記憶処理する受信データ処理部６１６、メモリ６１８に生体情報が記憶されたことを検出して前記生体情報の表示に適した形式の信号を出力する生体データ表示処理部６１５、生体データ表示処理部６１５からの信号に対応する心拍数を表示する表示手段としての生体情報表示部６１４、受信入力回路６１９の受信感度を複数の値に切替制御する受信感度レベル切り替え部６２２、受信データ処理部６１６による受信タイミングを制御する受信タイミング発生部６２１を備えている。
【０１１５】
詳細な動作は後述するが、受信機６０２は、前記送信機の信号送信時間間隔に同期するような所定時間間隔（例えば１秒間隔）で受信感度を複数の値に変更すると共に、送信機６０１から生体情報信号の受信動作を行う。受信機６０２は、前記第２の実施の形態と同様に、送信機６０１から生体情報を正常に受信した後、受信タイミング発生部６２１で次の新たな生体情報が送信機６０１から送信されるまでの所定時間経過するまでは、生体情報信号の受信動作は行わないように構成されている。
【０１１６】
図７は、送信機６０１の処理を示すフローチャートである。また、図８〜図１０は、受信機６０２の処理を示すフローチャートである。
【０１１７】
以下、図６〜図１０を参照して、本発明の第３の実施の形態の動作を説明する。
【０１１８】
センサ６０５が人体６００の生体情報（本実施の形態では心拍）を検出すると（ステップＳ７０１）、生体情報検出部６０４は波形整形等の処理を行って通信に適した電気信号への変換処理を行う（ステップＳ７０２）。
【０１１９】
次に、生体データ蓄積処理部６０６は、前記生体情報検出部６０４からの生体情報に基づいて、単位時間当たりの心拍数を算出し（ステップＳ７０３）、前記心拍数のデータを生体情報としてメモリ６１０に記憶して保存する（ステップＳ７０４）。
【０１２０】
OLE_LINK1送信データ処理部６０７は、メモリ６１０に前記生体情報が記憶されたことを検出して、メモリ６１０から前記生体情報を読み出し（ステップＳ７０５）、図１７に示す生体情報信号に変換する（ステップＳ７０６）。ステップＳ７０６では、送信データ処理部６０７は、メモリ６１０から読み出した心拍数データを生体情報部に格納すると共に、何番目に送信するデータなのかを表す送信番号データを送受信情報部に格納することによって、生体情報信号を生成し、前記生体情報信号をデータ送信部６０８に出力する。
【０１２１】
データ送信部６０８は、送信データ処理部６０７からの生体情報信号をシリアル信号に変換する等して前記生体情報信号を変調処理して、送信出力データ信号として送信出力回路６１１に出力する（ステップＳ７０７）。
【０１２２】
送信出力回路６１１は、前記送信出力データ信号を生体情報信号として、一定値に固定された所定送信レベルで、アンテナ６１２を介して出力する（ステップＳ７０８）。OLE_LINK1
受信機６０２側では、受信感度レベル切り替え部６２２が所定時間間隔（例えば、１秒間隔）で、受信入力回路６１９に受信感度制御信号を出力することによって、受信入力回路６１９の受信感度を前記所定時間間隔で変更するように制御する。受信感度レベル切り替え部６２２は、先ず、受信入力回路６１９に受信感度制御信号を出力して、受信入力回路６１９の受信感度を第１レベル（例えば大レベル）に設定する（ステップＳ８０１）。
【０１２３】
この状態で受信入力回路６１９がアンテナ６２０を介して、送信機６０１からの生体情報信号を受信して、受信入力データ信号として前記生体情報をデータ受信部６１７に出力する（ステップＳ８０２）。
【０１２４】
データ受信部６１７は、前記生体情報を復調して受信データ処理部６１６に出力する（ステップＳ８０３）。
【０１２５】
受信データ処理部６１６は、データ受信部６１７からの前記生体情報のエラーチェックを行うことにより、正常なデータを生体情報として受信したか否かを判断する（ステップＳ８０４）。
【０１２６】
受信データ処理部６１６は、ステップＳ８０４において、データ受信部６１７から正常な生体情報信号を受信していないと判断した場合（即ち、データ受信に失敗したと判断した場合）、ステップＳ８０１に戻る。
【０１２７】
一方、受信データ処理部６１６は、ステップＳ８０４において、データ受信部６１７から正常な生体情報信号を受信したと判断した場合（即ち、データ受信に成功したと判断した場合）、生体情報信号に含まれる送信番号を検査して（ステップＳ８０５）、メモリ６１８に記憶して保存する（ステップＳ８０５）。
【０１２８】
次に、生体データ表示処理部６１５は、ステップＳ８０６〜ステップＳ８０８の表示処理を行う。即ち、生体データ表示処理部６１５は、メモリ６１８に記憶した前記生体情報を読み出して（ステップＳ８０６）、表示可能な表示データに変換し（ステップＳ８０７）、生体情報表示部６１４に出力する（ステップＳ８０８）。
【０１２９】
生体情報表示部６１４は、生体データ表示処理部６１５からの表示データを受信して、対応する生体情報の表示を行う。これにより、生体情報表示部６１４では、送信機６０１で測定した心拍数が表示される。
【０１３０】
次に、受信タイミング発生部６２１は受信タイミングの同期化を行う（ステップＳ８０９）。受信タイミング発生部６２１は前記受信タイミング同期化において次の新たな生体情報が送信機６０１から送信されるまでの計時動作を開始し、前記計時動作を行っている間、受信データ処理部６１６に対して受信動作を停止するように停止指示信号を出力する。受信データ処理部６１６は、受信タイミング発生部４２１からの停止指示信号に応答して、受信入力回路６１９の電源供給を停止する等して、受信動作を停止する。
【０１３１】
受信タイミング発生部６２１は予め定められた受信タイミングが到来した（即ち、次の新たな生体情報が送信機６０１から送信されるタイミングが到来した）と判断すると（図９のステップＳ８１０）、受信データ処理部６１６に対して受信開始指示信号を出力する。受信データ処理部６１６は、前記受信開始指示信号に応答して、受信入力回路６１９に電源供給して受信動作を行えるようにする。
【０１３２】
受信入力回路６１９は、受信データ処理部６１６の指示に応答して、次の新たな生体情報信号の受信動作を行う（ステップＳ８１１）。受信入力回路６１９は、アンテナ６２０を介して、送信機６０１からの生体情報信号を受信して、受信入力データ信号として前記生体情報をデータ受信部６１７に出力する。
【０１３３】
データ受信部６１７は、前記生体情報を復調して受信データ処理部６１６に出力する（ステップＳ８１２）。
【０１３４】
受信データ処理部６１６は、データ受信部６１７からの前記生体情報のエラーチェックを行うことにより、正常なデータを生体情報として受信したか否か、及び、受信タイミング発生部６２１が所定時間を計時したか否か（タイムアウトしたか否か）を判断する（ステップＳ８１３）。
【０１３５】
受信データ処理部６１６は、ステップＳ８１３において、データ受信部６１７から正常な生体情報信号を受信したと判断した場合（即ち、データ受信に成功したと判断した場合）、生体情報信号に含まれる送信番号を検査すると共に生体情報を記憶に適した形式に変換してメモリ６１８に記憶して保存する（ステップＳ８１４）。
【０１３６】
次に、生体データ表示処理部６１５は、ステップＳ８１５〜ステップＳ８１７の表示処理を行う。即ち、生体データ表示処理部６１５は、メモリ６１８に記憶した前記生体情報を読み出して（ステップＳ８１５）、表示可能な表示データに変換し（ステップＳ８１６）、生体情報表示部６１４に出力して、ステップＳ８１０に戻る（ステップＳ８１７）。生体情報表示部６１４は、生体データ表示処理部６１５からの表示データを受信して、対応する生体情報の表示を行う。これにより、生体情報表示部６１４では、送信機６０１で測定した新たな生体情報に対応する心拍数が表示される。
【０１３７】
一方、受信データ処理部６１６は、ステップＳ８１３において、データ受信部６１７から正常な生体情報信号を受信していないと判断した場合（即ち、データ受信に失敗したと判断した場合）、あるいは、受信タイミング発生部６２１が所定時間を経過した（本来、受信すべき時点を越えたことによるタイムアウト）と判断した場合、受信感度レベル切り替え部６２２は、受信入力回路６１９の受信感度が前記第１レベルとは異なる第２レベル（例えば、前記第１レベルよりも受信感度が小レベル）になるように、受信感度制御信号を受信入力回路６１９に出力して感度を切り替え制御する。これにより、受信入力回路６１９は、前記受信感度制御信号に応答して、その受信感度を前記第２レベルに変更する（ステップＳ８１８）。
送信データ処理部６０７は、メモリ６１０から前記生体情報を再度読み出し（ステップＳ７０９）、図１７に示す生体情報信号に変換する（ステップＳ７１０）。ステップＳ７１０では、送信データ処理部６０７は、メモリ６１０から読み出した心拍数データを生体情報部に格納すると共に、何番目に送信するデータなのかを表す送信番号データを送受信情報部に格納することによって、生体情報信号を生成し、前記生体情報信号をデータ送信部６０８に出力する。
【０１３８】
データ送信部６０８は、送信データ処理部６０７からの生体情報信号をシリアル信号に変換する等して前記生体情報信号を変調処理して、送信出力データ信号として送信出力回路６１１に出力する（ステップＳ７１１）。
【０１３９】
送信出力回路６１１は、前記送信出力データ信号を生体情報信号として、一定値に固定された所定送信レベルで、アンテナ６１２を介して出力する（ステップＳ７１２）。
この状態で、受信タイミング発生部６２１は、再び受信タイミングが発生したか否かを判断する、即ち、ステップＳ８１８における受信感度の変更処理から前記予め定められた受信タイミングが再び到来した（即ち、再び前記所定時間経過した）と判断すると（図１０のステップＳ８１９）、受信入力回路６１９は、送信機６０１から再度送信された生体情報信号（生体情報のデータ自体は前回と同一であるが送信番号が前回とは異なる（大きい）信号）の受信動作を行う（ステップＳ８２０）。受信入力回路６１９は、アンテナ６２０を介して、送信機６０１からの生体情報信号を受信して、受信入力データ信号として前記生体情報をデータ受信部６１７に出力する。
【０１４０】
データ受信部６１７は、前記生体情報を復調して受信データ処理部６１６に出力する（ステップＳ８２１）。
【０１４１】
受信データ処理部６１６は、データ受信部６１７からの前記生体情報のエラーチェックを行うことにより、正常なデータを生体情報として受信したか否か、及び、受信タイミング発生部６２１が所定時間を計時したか否か（タイムアウトしたか否か）を判断する（ステップＳ８２２）。
【０１４２】
受信データ処理部６１６は、ステップＳ８２２において、データ受信部６１７から正常な生体情報信号を受信したと判断した場合（即ち、データ受信に成功したと判断した場合）、生体情報信号に含まれる送信番号を検査すると共に生体情報を記憶に適した形式に変換してメモリ６１８に記憶して保存する。
【０１４３】
次に、生体データ表示処理部６１５は、ステップＳ８２３〜ステップＳ８２５の表示処理を行う。即ち、生体データ表示処理部６１５は、メモリ６１８に記憶した前記生体情報を読み出して（ステップＳ８２３）、表示可能な表示データに変換し（ステップＳ８２４）、生体情報表示部６１４に出力する（ステップＳ８２５）。生体情報表示部６１４は、生体データ表示処理部６１５からの表示データを受信して、対応する生体情報の表示を行う。これにより、生体情報表示部６１４では、送信機６０１で新たに測定した生体信号に対応する心拍数が表示される。
【０１４４】
次に、受信感度レベル切り替え部６２２は、受信入力回路６１９の受信感度を前記第１レベルに切り替えるように制御して、ステップ８１０に戻る（ステップＳ８２６）。受信入力回路６１９は、受信感度レベル切り替え部６２２の制御に応答して、その受信感度を前記第２レベルから第１レベルに切り替える。以後、ステップＳ８１０に戻って処理が行われる。
【０１４５】
一方、受信データ処理部６１６は、ステップＳ８２２において、データ受信部６１７から正常なデータを生体情報として受信していないと判断した場合、及び、受信タイミング発生部６２１が所定時間を計時した（タイムアウトした）と判断した場合にはステップＳ８０１に戻る。
【０１４６】
以上述べたように、本第３の実施の形態によれば、送信機１０１から出力する信号レベルを所定値に固定して送信するように構成すると共に、受信機１０２の受信感度を複数の受信感度に変更制御するように構成している。
【０１４７】
即ち、データが同一内容の生体情報信号を送信機１０１が同一送信レベルで複数回送信し、受信情況に応じて受信機１０２が受信感度を変更しながら前記各生体情報信号を受信し、正常に受信したデータを取り込んで保存し、その後には、同一データ内容の生体情報信号は受信しないように構成している。
【０１４８】
したがって、前記第２の実施の形態と同様に、近距離時は送信レベルが低いときに通信が良好となり、遠距離時は送信レベルが大きいときに通信が良好となることで通信状態を良好に維持することが成り又、省電力化を図ることができる等の効果を奏する。
【０１４９】
また、複数回送信される同一データ内容の生体情報のうち、いずれかの生体情報を適切に受信した場合には、再び同一内容のデータを保存することなく、次の異なるデータ内容の生体情報を第１番目から受信するように構成できるので、適切な受信か可能になる。
【０１５０】
図１１は、本発明の第４の実施の形態に係る心拍計システムのブロック図である。本第４の実施の形態は、送信機の信号送信レベルを複数の値に変更しながら送信するように構成すると共に、受信機の受信感度を複数の値に変更して受信するように構成している。
【０１５１】
図１１において、心拍計システムは、生体信号である使用者１１００の心拍を測定して、前記心拍の情報を表す生体情報信号を送信する送信側手段としての送信機１１０１と、送信機１１０１からの生体情報信号を受信する受信側手段としての受信機１１０２とを備えている。
【０１５２】
送信機１１０１はチェストベルト（図示せず）に一体的に装着されており、使用者１１００の胸に装着して使用される。受信機１１０２は、例えば、腕時計型の外観を有し、使用者１１００の腕に装着して使用される。送信機１１０１と受信機１１０２との間で通信が可能なように構成されており、無線（例えば、電磁誘導）によって、送信機１１０１から受信機１１０２に信号の送信が行われる。送信機１１０１は人体の心拍を検出し、単位時間当たりの心拍数を生体情報信号として受信機１１０２に送信し、受信機１１０２側で心拍数の表示等を行うように構成されている。
【０１５３】
送信機１１０１は、心拍を検出して、前記心拍に関する生体情報信号の送信制御を行う心拍検出・送信制御部１１０３、心拍数データ等のデータを記憶する第１記憶手段としてのメモリ１１１０、出力信号レベルの変更制御制御が可能であると共に送信出力データ信号を受信して生体情報信号として出力する送信出力回路１１１１、生体情報信号を無線送信するためのアンテナ１１１２を備えている。心拍検出・送信制御部１１０３は送信制御手段を構成し、又、送信出力回路１１１１及び送信用アンテナ１１１２は送信手段を構成している。
【０１５４】
心拍検出・送信制御部１１０３は、人体の心拍を検出するセンサ１１０５を有する生体情報検出部１１０４、生体情報検出部で検出した心拍に基づいて単位時間当たりの心拍数を算出して生体情報としてメモリ１１１０に記憶する生体データ蓄積処理部１１０６、第１記憶手段としてのメモリ１１１０に前記生体情報が記憶されたときにメモリ１１１０から読み出して送信処理の制御を行う送信データ処理部１１０７、送信データ処理部１１０７が読み出した生体情報を送信に適した信号形式（例えば、シリアル信号）に変換して送信出力データ信号として送信出力回路１１１１に出力するデータ送信部１１０８、送信出力回路の出力レベルを切替え制御するための送信出力レベル切り替え部１１０９を備えている。
【０１５５】
詳細な動作は後述するが、送信機１１０１は、後述する送受信レベル設定テーブルを参照して、同一の心拍データについて、送信番号が異なると共に送信レベルが相互に異なる複数の生体情報信号を所定時間間隔（例えば１秒間隔）で送信する。また、測定した各心拍データについて、前記動作を所定時間間隔で繰り返す。これにより、送信機１１０１は所定時間間隔で、測定した各生体情報の送信を行うように構成されている。
【０１５６】
一方、受信機１１０２は、受信用アンテナ１１２０、アンテナ１１２０で受信した生体情報信号を検波及び増幅して受信入力データ信号として出力する受信入力回路１１１９、生体情報等のデータを記憶する第２記憶手段としてのメモリ１１１８、受信入力回路１１１９からの受信入力データ信号を受信して生体情報としてメモリ１１１８に記憶して保存すると共にメモリ１１１８に記憶された生体情報に基づいて心拍数の表示等を行うデータ受信・心拍表示制御部１１１３を備えている。データ受信・心拍表示制御部１１１３は受信制御手段を構成し、又、受信入力回路１１１９及び受信アンテナ１１２０は受信手段を構成している。
【０１５７】
データ受信・心拍表示制御部１１１３は、受信入力回路１１１９からの受信入力データ信号を受信して生体情報として出力するデータ受信部１１１７、データ受信部１１１７からの生体情報をメモリ１１１８に記憶処理する受信データ処理部１１１６、メモリ１１１８に生体情報が記憶されたことを検出して、前記生体情報を表示に適した形式の生体情報（心拍情報）を出力する生体データ表示処理部１１１５、生体データ表示処理部１１１５からの生体情報に対応する心拍数を表示する表示手段としての生体情報表示部１１１４、受信入力回路１１１９の受信感度を複数の値に切替制御する受信感度レベル切り替え部１１２２、受信データ処理部１１１６による受信タイミングを制御する受信タイミング発生部１１２１を備えている。
【０１５８】
詳細な動作は後述するが、受信機１１０２は、後述する送受信レベル設定テーブルを参照して、送信機１１０１の送信レベル切り替えタイミングに同期するように予め定めた所定時間間隔（例えば１秒間隔）で受信感度を複数の値に変更すると共に、送信機１１０１から生体情報の受信動作を行う。受信機１１０２は、送信機１１０１から生体情報を正常に受信した後、受信タイミング発生部１１２１で次の新たな生体情報が送信機１１０１から送信されるまでの所定時間計時するまでは、生体情報信号の受信動作は行わないように構成されている。
【０１５９】
図１２は、送信機１１０１の処理を示すフローチャートである。また、図１３〜図１５は、受信機１１０２の処理を示すフローチャートである。
【０１６０】
また、図１６は、送信機１１０１の送信レベル及び受信機１１０２の受信感度の設定値を示す送受信レベル設定テーブルであり、送信機１１０１のメモリ１１１０及び受信機１１０２のメモリ１１１８の双方に記憶されている。
【０１６１】
以下、図１１〜図１６を参照して、本発明の第４の実施の形態の動作を説明する。
【０１６２】
センサ１１０５が人体１１００の生体情報（本実施の形態では心拍）を検出すると（ステップＳ１２０１）、生体情報検出部１１０４は波形整形等の処理を行って通信に適した電気信号への変換処理を行う（ステップＳ１２０２）。
【０１６３】
次に、生体データ蓄積処理部１１０６は、前記生体情報検出部１１０４からの生体情報に基づいて、単位時間当たりの心拍数を算出し（ステップＳ１２０３）、前記心拍数のデータを生体情報としてメモリ１１１０に記憶して保存する（ステップＳ１２０４）。
【０１６４】
送信データ処理部１１０７は、メモリ１１１０に前記生体情報（心拍データ）が記憶されたことを検出すると、メモリ１１１０に記憶されている図１６の送受信レベル設定テーブルを参照して（ステップＳ１２０５）、送信出力レベル切り替え部１１０９が送信出回路１１１１の送信出力レベルを設定するように、送信出力レベル切り替え部１１０９を制御する。ここでは、送信出力レベル切り替え部１１０９は、前記送受信レベル設定テーブルを参照して、送信番号が第１番目で送信レベルが第１送信レベル（図１６の例では送信レベル小）の生体情報信号を送信出力回路１１１１が送信するように送信出力回路１１１１を制御する（ステップＳ１２０６）。
【０１６５】
次に、送信データ処理部１１０７は、メモリ１１１０から前記生体情報を読み出し（ステップＳ１２０７）、図１７に示す生体情報信号に変換する（ステップＳ１２０８）。ステップＳ１２０８では、送信データ処理部１１０７は、メモリ１１１０から読み出した心拍数データを生体情報部に格納すると共に、何番目に送信するデータなのかを表す送信番号データ（現時点では第１番目を表すデータ）を送受信情報部に格納することによって、生体情報信号を生成し、前記生体情報信号をデータ送信部１１０８に出力する。
【０１６６】
データ送信部１１０８は、送信データ処理部１１０７からの生体情報信号をシリアル信号に変換する等して前記生体情報信号を変調処理して、送信出力データ信号として送信出力回路１１１１に出力する（ステップＳ１２０９）。
【０１６７】
送信出力回路１１１１は、前記送信出力データ信号を生体情報信号として、前記第１番目の送信レベルで、アンテナ１１１２を介して出力する（ステップＳ１２１０）。
【０１６８】
次に、送信データ処理部１１０７は、メモリ１１１０に記憶されている図１６の送受信レベル設定テーブルを参照して、全ての番号（図１６の例では第１番目から第３番目の３種類）の送信レベルを設定して送信していない場合には、ステップＳ１２０５に戻って前記処理を繰り返す（ステップＳ１２１１）。これにより、所定時間間隔（例えば１秒間隔）で、同一データ内容で送信番号が相違する生体情報信号が、前記送信番号に対応つけて設定された送信レベルで送信されることになる。
【０１６９】
送信データ処理部１１０７は、ステップＳ１２１１において、全ての送信番号（図１６の例では第１番目から第３番目の３種類）についての送信レベルを用いて、前記所定時間間隔で送信を完了した場合には、ステップＳ１２０１に戻って前記処理を繰り返す。
【０１７０】
ステップＳ１２０５〜ステップＳ１２１１の処理によって、同一内容の生体情報データ（本例では心拍データ）について、生体情報部に同一の生体情報データを格納すると共に送受信情報部に異なる送信番号データ（本例では第１番目、第２番目、第３番目を表す番号データ）を格納した生体情報信号が、順次所定時間間隔（例えば１秒間隔）で、第一送信レベル（送信レベル小）、送信レベルが第一送信レベルよりも大きい第二送信レベル（送信レベル大）、送信レベルが第二送信レベルと同じ第三送信レベル（送信レベル大）の各々で、送信されることになる。
【０１７１】
同一の生体情報を３種類の方法で送信した後、ステップＳ１２１１でステップＳ１２０１に戻ることにより、以後、新たな生体情報についても、前記同様にして所定時間間隔で前記処理が繰り返されることになる。
【０１７２】
一方、受信機１１０２側では、受信感度レベル切り替え部１１２２が送信機１１０１側の送信レベル切り替えタイミングに同期するような所定時間間隔（例えば、１秒間隔）で、受信入力回路１１１９に受信感度制御信号を出力することによって、受信入力回路１１１９の受信感度を前記所定時間間隔で変更するように制御する。受信感度レベル切り替え部１１２２は、先ず、受信入力回路１１１９に受信感度制御信号を出力して、受信入力回路１１１９の受信感度を図１６の第１レベル（本例では大レベル）に設定する（ステップＳ１３０１）。これにより、送信機１１０１からは第一送信レベル（レベル小）で送信され、受信機１１０２では第一レベルの受信感度（受信感度大）で受信が行われる。
【０１７３】
この状態で受信入力回路１１１９がアンテナ１１２０を介して、送信機１１０１からの生体情報信号を受信して、受信入力データ信号として前記生体情報をデータ受信部１１１７に出力する（ステップＳ１３０２）。
【０１７４】
データ受信部１１１７は、前記生体情報を復調して受信データ処理部１１１６に出力する（ステップＳ１３０３）。
【０１７５】
受信データ処理部１１１６は、データ受信部１１１７からの前記生体情報のエラーチェックを行うことにより、正常なデータを生体情報として受信したか否かを判断する（ステップＳ１３０４）。
【０１７６】
受信データ処理部１１１６は、ステップＳ１３０４において、データ受信部１１１７から正常な生体情報信号を受信していないと判断した場合（即ち、データ受信に失敗したと判断した場合）、ステップＳ１３０１に戻る。
【０１７７】
受信データ処理部１１１６は、ステップＳ１３０４において、データ受信部１１１７から正常な生体情報信号を受信したと判断した場合（即ち、データ受信に成功したと判断した場合）、メモリへの格納に適した信号形式に変換すると共に生体情報信号に含まれる送信番号を検査して、メモリ６１８に記憶して保存する（ステップＳ１３０５）。
【０１７８】
次に、生体データ表示処理部１１１５は、ステップＳ１３０６〜ステップＳ１３０８の表示処理を行う。即ち、生体データ表示処理部１１１５は、メモリ１１１８に記憶した前記生体情報を読み出して（ステップＳ１３０６）、表示可能な表示データに変換し（ステップＳ１３０７）、生体情報表示部１１１４に出力する（ステップＳ１３０８）。
【０１７９】
生体情報表示部１１１４は、生体データ表示処理部１１１５からの表示データを受信して、対応する生体情報の表示を行う。これにより、生体情報表示部１１１４では、送信機１１０１で測定した心拍数が表示される。
【０１８０】
次に、受信タイミング発生部１１２１は受信タイミングの同期化を行う（ステップＳ１３０９）。受信タイミング発生部１１２１は、前記受信タイミング同期化において、次の新たな生体情報が送信機１１０１から送信されるまでの計時動作を開始し、前記計時動作を行っている間、受信データ処理部１１１６に対して受信動作を停止するように停止指示信号を出力する。なお、次の新たな生体情報が送信機１１０１から送信されるまでの計時時間は、ステップＳ１３０５によって検査された送信番号によって計算されて導き出されるものとする。受信データ処理部１１１６は、受信タイミング発生部１１２１からの停止指示信号に応答して、受信入力回路１１１９の電源供給を停止する等して、受信動作を停止する。
【０１８１】
受信タイミング発生部１１２１が予め定められた受信タイミングに到達した（即ち、所定時間経過した）と判断すると（図１４のステップＳ１３１０）、受信入力回路１１１９は、次の新たな生体情報の受信動作を行う（ステップＳ１３１１）。受信入力回路１１１９は、アンテナ１１２０を介して、送信機１１０１からの生体情報信号を受信して、受信入力データ信号として前記生体情報をデータ受信部１１１７に出力する。
【０１８２】
データ受信部１１１７は、前記生体情報を復調して受信データ処理部１１１６に出力する（ステップＳ１３１２）。
【０１８３】
受信データ処理部１１１６は、データ受信部１１１７からの前記生体情報のエラーチェックを行うことにより、正常なデータを生体情報として受信したか否か、及び、本来受信すべき時点を越えて所定時間を経過したか否か（タイムアウトしたか否か）を判断する（ステップＳ１３１３）。
【０１８４】
受信データ処理部１１１６は、ステップＳ１３１３において、データ受信部１１１７から正常な生体情報信号を受信したと判断した場合（即ち、データ受信に成功したと判断した場合）、生体情報信号に含まれる送信番号を検査すると共に生体情報を記憶に適した形式に変換してメモリ１１１８に記憶して保存する（ステップＳ１３１４）。
【０１８５】
次に、生体データ表示処理部１１１５は、ステップＳ１３１５〜ステップＳ１３１７の表示処理を行う。即ち、生体データ表示処理部１１１５は、メモリ１１１８に記憶した前記生体情報を読み出して（ステップＳ１３１５）、表示可能な表示データに変換し（ステップＳ１３１６）、生体情報表示部１１１４に出力して、ステップＳ１３１０に戻る（ステップＳ１３１７）。生体情報表示部１１１４は、生体データ表示処理部１１１５からの表示データを受信して、対応する生体情報の表示を行う。これにより、生体情報表示部１１１４では、送信機１１０１で測定した心拍数が表示される。
【０１８６】
一方、受信データ処理部１１１６は、ステップＳ１３１３において、データ受信部１１１７から正常な生体情報信号を受信していないと判断した場合（即ち、データ受信に失敗したと判断した場合）、あるいは、本来受信すべき時点を越えて所定時間を経過した（タイムアウトした）と判断した場合、図１６の送受信レベル設定テーブルを参照して（図１５のステップＳ１３１８）、受信感度レベル切り替え部１１２２に対して、受信入力回路１１１９の受信感度を所定レベルに再設定するように指示する。
【０１８７】
本実施の形態では、受信データ処理部１１１６は、受信感度レベル切り替え部１１２２に対して、受信入力回路１１１９の受信感度を前記第一レベルと同一のレベル（図１６の２（再受）。例えば、前記第一レベルと同じ受信感度が大レベル）にするように指示する。受信感度レベル切り替え部１１２２は、受信データ処理部１１１６からの前記指示に応答して、受信入力回路１１１９の受信感度を前記第一レベルと同じレベルに制御する（ステップＳ１３１９）。
【０１８８】
この状態で、受信入力回路１１１９は、再び受信処理を行う（ステップＳ１３２０）。
【０１８９】
データ受信部１１１７は、前記生体情報を復調して受信データ処理部１１１６に出力する（ステップＳ１３２１）。
【０１９０】
受信データ処理部１１１６は、データ受信部１１１７からの前記生体情報のエラーチェックを行うことにより、正常なデータを生体情報として受信したか否か、及び、本来受信すべき時点を越えて所定時間を経過したか否か（タイムアウトしたか否か）を判断する（ステップＳ１３２２）。
【０１９１】
受信データ処理部１１１６は、ステップＳ１３２２において、データ受信部１１１７から正常な生体情報信号を受信したと判断した場合（即ち、データ受信に成功したと判断した場合）、生体情報信号に含まれる送信番号を検査すると共に生体情報を記憶に適した形式に変換してメモリ１１１８に記憶して保存する（ステップＳ１３２３）。
【０１９２】
次に、生体データ表示処理部１１１５は、ステップＳ１３２４〜ステップＳ１３２６の表示処理を行う。即ち、生体データ表示処理部１１１５は、メモリ１１１８に記憶した前記生体情報を読み出して（ステップＳ１３２４）、表示可能な表示データに変換し（ステップＳ１３２５）、生体情報表示部１１１４に出力する（ステップＳ１３２６）。生体情報表示部１１１４は、生体データ表示処理部１１１５からの表示データを受信して、対応する生体情報の表示を行う。これにより、生体情報表示部１１１４では、送信機１１０１で測定した心拍数が表示される。
【０１９３】
次に、受信感度レベル切り替え部１１２２は、受信入力回路１１１９の受信感度を前記第１レベルに切り替えるように制御して、ステップ１３１０に戻る（ステップＳ１３２７）。受信入力回路１１１９は、受信感度レベル切り替え部１１２２の制御に応答して、その受信感度を前記第一レベルに切り替える。以後、ステップＳ１３１０に戻って処理が行われる。
【０１９４】
一方、受信データ処理部１１１６は、ステップＳ１３２２において、データ受信部１１１７から正常な生体情報信号を受信していないと判断した場合（即ち、データ受信に失敗したと判断した場合）、あるいは、本来受信すべき時点を越えて所定時間を経過した（タイムアウトした）と判断した場合には、メモリ１１１８に記憶されている図１６の送受信レベル設定テーブルを参照して、全ての番号（図１６の例では第１番目から第３番目の３種類）の受信感度レベルによって受信動作を行っていない場合には、ステップＳ１３１８に戻って前記処理を繰り返す（ステップＳ１３２８）。
【０１９５】
この場合、ステップＳ１３１９においては、受信データ処理部１１１６は、図１６の送受信レベル設定テーブルを参照して、受信感度レベル切り替え部１１２２に対して、受信入力回路１１１９の受信感度を所定レベルに再々設定するように指示する。本実施の形態では、受信データ処理部１１１６は、受信感度レベル切り替え部１１２２に対して、受信入力回路１１１９の受信感度を前記第二レベルよりも小さな第三レベル（図１６の３（再々受））にするように指示する。受信感度レベル切り替え部１１２２は、受信データ処理部１１１６からの前記指示に応答して、受信入力回路１１１９の受信感度を前記第２レベルに再々設定し、受信入力回路１１１９は再々受信を行うことになる（ステップＳ１３２０）。
【０１９６】
受信データ処理部１１１６は、ステップＳ１３２８において、全ての番号（図１６の例では第１番目から第３番目の３種類）の受信感度レベルを用いて受信を完了した場合には、ステップＳ１３０１に戻って前記処理を繰り返す。
【０１９７】
以上述べたように、本第４の実施の形態によれば、送信機１１０１の信号送信レベルを所定時間間隔で複数の値に変更しながら送信するように構成すると共に、受信機１１０２の受信感度を所定時間間隔で複数の値に変更するように構成している。
【０１９８】
即ち、データが同一内容の生体情報信号を送信機１１０１が異なる送信レベルで複数回送信し、受信情況に応じて受信機１１０２が受信感度を変更しながら前記各生体情報信号を受信し、正常に受信したデータを取り込んで、同一データ内容の生体情報信号については再び受信しないように構成している。
【０１９９】
したがって、前記第２、第３の実施の形態で説明した効果を上回り、送信第一レベルと受信第一レベルの組み合わせによる通信においては近距離通信時における受信レベル過大の発生を抑え、送信第二レベルと受信第二レベルの組み合わせによる通信においては、遠距離時の通信特性が良くなり、送信第三レベルと受信第三レベルの組み合わせによる通信においては受信機の受信感度が低いため外部ノイズの影響を抑制しながら送信機からの生体情報を受信するため耐ノイズ性能が向上することとなり、近距離から遠距離通信を良好に行うことが可能に成る。
【０２００】
また、複数回送信される同一データ内容の生体情報のうち、いずれかの生体情報を適切に受信した場合には、再び同一内容のデータを保存することなく、次の異なるデータ内容の生体情報を第１番目から受信するように構成できるので、効率的な受信か可能になり、省電力化を図ることができる等の効果を奏する。
図１８は、本発明の第５の実施の形態に係る心拍計システムのブロック図である。本第５の実施の形態は、本発明の第４の実施の形態に対して、送信機と受信機にそれぞれ圧力センサによって通信環境が空気中か水中かを判定する通信環境検出部を加え、送信機においては通信環境状態検出部により検出された通信環境状態（空気中か水中か）によって決定された信号送信レベルを複数の値に変更しながら送信するように構成すると共に、受信機においては通信環境状態検出部により検出された通信環境状態（空気中か水中か）によって決定された受信感度を複数の値に変更して受信するように構成している。本実施例で示す信号は無線信号であり、水中では無線信号が吸収されることにより通信距離が短くなることが一般的にしられている。このため、水中において空気中と同様の通信距離性能を得るためには、空気中よりもより大きな送信レベルまたは受信感度に設定する必要がある。
【０２０１】
図１８において、心拍計システムは、生体信号である使用者１８００の心拍を測定して、前記心拍の情報を表す生体情報信号を送信する送信側手段としての送信機１８０１と、送信機１８０１からの生体情報信号を受信する受信側手段としての受信機１８０２とを備えている。
【０２０２】
送信機１８０１はチェストベルト（図示せず）に一体的に装着されており、使用者１８００の胸に装着して使用される。受信機１８０２は、例えば、腕時計型の外観を有し、使用者１８００の腕に装着して使用される。送信機１８０１と受信機１８０２との間で通信が可能なように構成されており、無線（例えば、電磁誘導）によって、送信機１８０１から受信機１８０２に信号の送信が行われる。送信機１８０１は人体の心拍を検出し、単位時間当たりの心拍数を生体情報信号として受信機１８０２に送信し、受信機１８０２側で心拍数の表示等を行うように構成されている。
【０２０３】
送信機１８０１は、心拍を検出して、前記心拍に関する生体情報信号の送信制御を行う心拍検出・送信制御部１８０３、心拍数データ等のデータを記憶する第１記憶手段としてのメモリ１８１０、出力信号レベルの変更制御制御が可能であると共に送信出力データ信号を受信して生体情報信号として出力する送信出力回路１８１１、生体情報信号を無線送信するためのアンテナ１８１２を備えている。心拍検出・送信制御部１８０３は送信制御手段を構成し、又、送信出力回路１８１１及び送信用アンテナ１８１２は送信手段を構成している。
【０２０４】
心拍検出・送信制御部１８０３は、人体の心拍を検出するセンサ１８０５を有する生体情報検出部１８０４、生体情報検出部で検出した心拍に基づいて単位時間当たりの心拍数を算出して生体情報としてメモリ１８１０に記憶する生体データ蓄積処理部１８０６、送信機１８０１の周囲の通信環境状態を検出するセンサ１８１３を有する通信環境検出部１８１４、通信環境検出部１８１４から得られる通信環境状態によって送信出力レベルの設定を行いかつ第１記憶手段としてのメモリ１８１０に前記生体情報が記憶されたときにメモリ１８１０から読み出して送信処理の制御を行う送信データ処理部１８０７、送信データ処理部１８０７が読み出した生体情報を送信に適した信号形式（例えば、シリアル信号）に変換して送信出力データ信号として送信出力回路１８１１に出力するデータ送信部１８０８、送信出力回路の出力レベルを切替え制御するための送信出力レベル切り替え部１８０９を備えている。
【０２０５】
詳細な動作は後述するが、送信機１８０１は、通信環境状態に応じて、後述する送受信レベル設定テーブルを参照して、同一の心拍データについて、送信番号が異なると共に送信レベルが相互に異なる複数の生体情報信号を所定時間間隔（例えば１秒間隔）で送信する。また、測定した各心拍データについて、前記動作を所定時間間隔で繰り返す。これにより、送信機１８０１は所定時間間隔で、測定した各生体情報の送信を行うように構成されている。
【０２０６】
一方、受信機１８０２は、受信用アンテナ１８２２、アンテナ１８２２で受信した生体情報信号を検波及び増幅して受信入力データ信号として出力する受信入力回路１８２１、生体情報等のデータを記憶する第２記憶手段としてのメモリ１８２０、受信入力回路１８２１からの受信入力データ信号を受信して生体情報としてメモリ１８２０に記憶して保存すると共にメモリ１８２０記憶された生体情報に基づいて心拍数の表示等を行うデータ受信・心拍表示制御部１８１５を備えている。データ受信・心拍表示制御部１８１５は受信制御手段を構成し、又、受信入力回路１８２１及び受信アンテナ１８２２は受信手段を構成している。
【０２０７】
データ受信・心拍表示制御部１８１５は、受信入力回路１８２１からの受信入力データ信号を受信して生体情報として出力するデータ受信部１８１９、受信機１８０２の周囲の通信環境状態を検出するセンサ１８２４を有する通信環境検出部１８２５、通信環境検出部１８２５から得られる通信環境状態によって受信感度の設定を行いかつデータ受信部１８１９からの生体情報をメモリ１８２０に記憶処理する受信データ処理部１８１８、メモリ１８２０に生体情報が記憶されたことを検出して、前記生体情報を表示に適した形式の生体情報（心拍情報）を出力する生体データ表示処理部１８１７、生体データ表示処理部１８１７からの生体情報に対応する心拍数を表示する表示手段としての生体情報表示部１８１６、受信入力回路１８２１の受信感度を複数の値に切替制御する受信感度レベル切り替え部１８２４、受信データ処理部１８１８による受信タイミングを制御する受信タイミング発生部１８２３を備えている。
【０２０８】
詳細な動作は後述するが、受信機１８０２は通信環境状態に応じて、後述する送受信レベル設定テーブルを参照して、送信機１１０１の送信レベル切り替えタイミングに同期するように予め定めた所定時間間隔（例えば１秒間隔）で受信感度を複数の値に変更すると共に、送信機１８０１から生体情報の受信動作を行う。受信機１８０２は、送信機１８０１から生体情報を正常に受信した後、受信タイミング発生部１８２３で次の新たな生体情報が送信機１８０１から送信されるまでの所定時間計時するまでは、生体情報信号の受信動作は行わないように構成されている。
【０２０９】
図１９は、送信機１８０１の処理を示すフローチャートである。また、図２０〜図２２は、受信機１８０２の処理を示すフローチャートである。
【０２１０】
また、図２３は、通信環境の状態に応じて設定された送信機１８０１の送信レベル及び受信機１８０２の受信感度の設定値を示す送受信レベル設定テーブルであり、送信機１８０１のメモリ１８１０及び受信機１８０２のメモリ１８２０の双方に記憶されている。
【０２１１】
以下、図１８〜図２３を参照して、本発明の第５の実施の形態の動作を説明する。
【０２１２】
センサ１８０５が人体１８００の生体情報（本実施の形態では心拍）を検出すると（ステップＳ１９０１）、生体情報検出部１８０４は波形整形等の処理を行って通信に適した電気信号への変換処理を行う（ステップＳ１８０２）。
【０２１３】
次に、生体データ蓄積処理部１８０６は、前記生体情報検出部１８０４からの生体情報に基づいて、単位時間当たりの心拍数を算出し（ステップＳ１９０３）、前記心拍数のデータを生体情報としてメモリ１８１０に記憶して保存する（ステップＳ１９０４）。
【０２１４】
送信データ処理部１８０７は、メモリ１８１０に前記生体情報（心拍データ）が記憶されたことを検出すると、通信環境検出部１８１４から得られる通信環境状態（空気中または水中）に応じてメモリ１８１０に記憶されている図２３の送受信レベル設定テーブルを参照して（ステップＳ１９０６）、送信出力レベル切り替え部１８０９が送信出回路１８１１の送信出力レベルを設定するように、送信出力レベル切り替え部１８０９を制御する。ここでは、送信出力レベル切り替え部１８０９は、前記送受信レベル設定テーブルを参照して、送信番号が第１番目で送信レベルが第一送信レベル（図２３の例では、通信環境が空気中であると検出した場合送信レベル小、通信環境が水中であると検出した場合送信レベル大）の生体情報信号を送信出力回路１８１１が送信するように送信出力回路１８１１を制御する（ステップＳ１９０７）。
【０２１５】
次に、送信データ処理部１８０７は、メモリ１８１０から前記生体情報を読み出し（ステップＳ９２０８）、図１７に示す生体情報信号に変換する（ステップＳ１９０９）。ステップＳ１９０９では、送信データ処理部１８０７は、メモリ１８１０から読み出した心拍数データを生体情報部に格納すると共に、何番目に送信するデータなのかを表す送信番号データ（現時点では第１番目を表すデータ）を送受信情報部に格納することによって、生体情報信号を生成し、前記生体情報信号をデータ送信部１８０８に出力する。
【０２１６】
データ送信部１８０８は、送信データ処理部１８０７からの生体情報信号をシリアル信号に変換する等して前記生体情報信号を変調処理して、送信出力データ信号として送信出力回路１８１１に出力する（ステップＳ１９１０）。
【０２１７】
送信出力回路１９１１は、前記送信出力データ信号を生体情報信号として、前記第一の送信レベルで、アンテナ１８１２を介して出力する（ステップＳ１９１１）。
【０２１８】
次に、送信データ処理部１８０７は、メモリ１８１０に記憶されている図２３の送受信レベル設定テーブルを参照して、全ての番号（図２３の例では第１番目から第３番目の３種類）の送信レベルを設定して送信していない場合には、ステップＳ１９０５に戻って前記処理を繰り返す（ステップＳ１９１２）。これにより、所定時間間隔（例えば１秒間隔）で、同一データ内容で送信番号が相違する生体情報信号が、前記送信番号および通信環境状態に対応つけて設定された送信レベルで送信されることになる。
【０２１９】
送信データ処理部１８０７は、ステップＳ１９１２において、全ての送信番号（図２３の例では第１番目から第３番目の３種類）についての送信レベルを用いて、前記所定時間間隔で送信を完了した場合には、ステップＳ１９０１に戻って前記処理を繰り返す。
【０２２０】
ステップＳ１９０５〜ステップＳ１９１２の処理によって、同一内容の生体情報データ（本例では心拍データ）について、生体情報部に同一の生体情報データを格納すると共に送受信情報部に異なる送信番号データ（本例では第１番目、第２番目、第３番目を表す番号データ）を格納した生体情報信号が、順次所定時間間隔（例えば１秒間隔）で、第一送信レベル（通信環境状態が空気中の場合は送信レベル小、通信環境状態が水中の場合は送信レベル大）、送信レベルが第一送信レベルよりも大きい第二送信レベル（通信環境が空気中の場合は送信レベル大、通信環境が水中の場合は送信レベル特大）、送信レベルが第二送信レベルと同じ第三送信レベル（通信環境が空気中の場合は送信レベル大、通信環境が水中の場合は送信レベル特大）の各々で、送信されることになる。
【０２２１】
同一の生体情報を３種類の方法で送信した後、ステップＳ１９１２でステップＳ１９０１に戻ることにより、以後、新たな生体情報についても、前記同様にして所定時間間隔で前記処理が繰り返されることになる。
【０２２２】
一方、受信機１８０２側では、受信感度レベル切り替え部１８２４が送信機１８０１側の送信レベル切り替えタイミングに同期するような所定時間間隔（例えば、１秒間隔）で、受信入力回路１８２１に受信感度制御信号を出力することによって、受信入力回路１８２１の受信感度を前記所定時間間隔で変更するように制御する。先ず、受信データ処理部１８１８は、通信環境検出部１８２６によって通信環境状態を得る（ステップ２００１）。次に受信データ処理部１８１８は受信感度レベル切り替え部に対して受信感度入力回路１８２１の受信感度を図２３の第一レベル（通信環境状態が空気中の場合は受信感度大、通信環境状態が水中の場合は受信感度特大）に設定するよう指示する。受信感度レベル切り替え部１８２４は、受信入力回路１８２１に受信感度制御信号を出力して、受信入力回路１８２１の受信感度を図２３の第一レベル（通信環境状態が空気中の場合は受信感度大、通信環境状態が水中の場合は送信レベル特大）に設定する（ステップＳ２００２）。これにより、送信機１８０１からは第一送信レベル（通信環境状態が空気中の場合は送信レベル小、通信環境状態が水中の場合は送信レベル大）で送信され、受信機１８０２では第一レベルの受信感度（通信環境状態が空気中の場合は受信感度大、通信環境状態が水中の場合は受信感度特大）で受信が行われる。
【０２２３】
この状態で受信入力回路１８２１アンテナ１８２２を介して、送信機１８０１からの生体情報信号を受信して、受信入力データ信号として前記生体情報をデータ受信部１８１９に出力する（ステップＳ２００３）。
【０２２４】
データ受信部１８１９は、前記生体情報を復調して受信データ処理部１８１８に出力する（ステップＳ２００４）。
【０２２５】
受信データ処理部１８１８は、データ受信部１８１９からの前記生体情報のエラーチェックを行うことにより、正常なデータを生体情報として受信したか否かを判断する（ステップＳ２００５）。
【０２２６】
受信データ処理部１８１８は、ステップＳ２００５において、データ受信部１８１９から正常な生体情報信号を受信していないと判断した場合（即ち、データ受信に失敗したと判断した場合）、ステップＳ２００１に戻る。
【０２２７】
受信データ処理部１８１８は、ステップＳ２００５において、データ受信部１８１９から正常な生体情報信号を受信したと判断した場合（即ち、データ受信に成功したと判断した場合）、メモリへの格納に適した信号形式に変換すると共に生体情報信号に含まれる送信番号を検査して、メモリ１８２０に記憶して保存する（ステップＳ２００６）。
【０２２８】
次に、生体データ表示処理部１８１７は、ステップＳ２００７〜ステップＳ２００９の表示処理を行う。即ち、生体データ表示処理部１８１７は、メモリ１８２０に記憶した前記生体情報を読み出して（ステップＳ２００７）、表示可能な表示データに変換し（ステップＳ２００８）、生体情報表示部１８１６に出力する（ステップＳ２００９）。
【０２２９】
生体情報表示部１８１６は、生体データ表示処理部１８１７からの表示データを受信して、対応する生体情報の表示を行う。これにより、生体情報表示部１８１６では、送信機１８０１で測定した心拍数が表示される。
【０２３０】
次に、受信タイミング発生部１８２３は受信タイミングの同期化を行う（ステップＳ２０１０）。受信タイミング発生部１８２３は、前記受信タイミング同期化において、次の新たな生体情報が送信機１８０１から送信されるまでの計時動作を開始し、前記計時動作を行っている間、受信データ処理部１８１８に対して受信動作を停止するように停止指示信号を出力する。なお、次の新たな生体情報が送信機１８０１から送信されるまでの計時時間は、ステップＳ２００６によって検査された送信番号によって計算されて導き出されるものとする。受信データ処理部１８１８は、受信タイミング発生部１８２３からの停止指示信号に応答して、受信入力回路１８２１の電源供給を停止する等して、受信動作を停止する。
【０２３１】
受信タイミング発生部１８２３が予め定められた受信タイミングに到達した（即ち、所定時間経過した）と判断すると（図２１のステップＳ２０１１）、受信データ処理部１８１８は通信環境検出部１８２６から通信環境状態を得たうえで（ステップＳ２０１２）、受信感度レベル切り替え部１８２４に対して受信感度を第一の受信感度に設定するよう支持し、受信感度レベル切り替え部１８２４は受信入力回路１８２１に対して第一の受信感度に設定を行う（ステップ２０１３）。受信入力回路１８２１は、次の新たな生体情報の受信動作を行う（ステップＳ２０１４）。受信入力回路１８２１は、アンテナ１８２２を介して、送信機１８０１からの生体情報信号を受信して、受信入力データ信号として前記生体情報をデータ受信部１８１９に出力する。
【０２３２】
データ受信部１８１９は、前記生体情報を復調して受信データ処理部１８１８に出力する（ステップＳ２０１５）。
【０２３３】
受信データ処理部１８１８は、データ受信部１８１９からの前記生体情報のエラーチェックを行うことにより、正常なデータを生体情報として受信したか否か、及び、本来受信すべき時点を越えて所定時間を経過したか否か（タイムアウトしたか否か）を判断する（ステップＳ２０１６）。
【０２３４】
受信データ処理部１８１８は、ステップＳ２０１６において、データ受信部１８１９から正常な生体情報信号を受信したと判断した場合（即ち、データ受信に成功したと判断した場合）、生体情報信号に含まれる送信番号を検査すると共に生体情報を記憶に適した形式に変換してメモリ１８２０に記憶して保存する（ステップＳ２０１７）。
【０２３５】
次に、生体データ表示処理部１８１７は、ステップＳ２０１８〜ステップＳ２０２０の表示処理を行う。即ち、生体データ表示処理部１８１７は、メモリ１８２０に記憶した前記生体情報を読み出して（ステップＳ２０１８）、表示可能な表示データに変換し（ステップＳ２０１９）、生体情報表示部１８１６に出力して、ステップＳ２０１１に戻る（ステップＳ２０２０）。生体情報表示部１８１６は、生体データ表示処理部１８１８からの表示データを受信して、対応する生体情報の表示を行う。これにより、生体情報表示部１８１６では、送信機１８０１で測定した心拍数が表示される。
【０２３６】
一方、受信データ処理部１８１８は、ステップＳ２０１６において、データ受信部１８１９から正常な生体情報信号を受信していないと判断した場合（即ち、データ受信に失敗したと判断した場合）、あるいは、本来受信すべき時点を越えて所定時間を経過した（タイムアウトした）と判断した場合、通信環境検出部１８２６によって通信環境状態を得（図２２のステップＳ２０２１）、得られた通信環境状態をもとに図２３の送受信レベル設定テーブルを参照して（ステップＳ２０２２）、受信感度レベル切り替え部１８２４に対して、受信入力回路１８２１の受信感度を所定レベルに再設定するように指示する。
【０２３７】
本実施の形態では、受信データ処理部１８１８は、受信感度レベル切り替え部１８２４に対して、受信入力回路１８２１の受信感度を前記第一レベルと同一の第二レベル（図２３の２（再受）。例えば通信状況が水中であると仮定した場合、前記第一レベルと同じ受信感度が特大レベル）にするように指示する。受信感度レベル切り替え部１８２４は、受信データ処理部１８１８からの前記指示に応答して、受信入力回路１８２１の受信感度を前記第１レベルと同じレベルに制御する（ステップＳ２０２３）。
【０２３８】
この状態で、受信入力回路１８２１は、再び受信処理を行う（ステップＳ２０２４）。
【０２３９】
データ受信部１８１９は、前記生体情報を復調して受信データ処理部１８１８に出力する（ステップＳ２０２５）。
【０２４０】
受信データ処理部１８１８は、データ受信部１８１９からの前記生体情報のエラーチェックを行うことにより、正常なデータを生体情報として受信したか否か、及び、本来受信すべき時点を越えて所定時間を経過したか否か（タイムアウトしたか否か）を判断する（ステップＳ２０２６）。
【０２４１】
受信データ処理部１８１８は、ステップＳ２０２６において、データ受信部１８１９から正常な生体情報信号を受信したと判断した場合（即ち、データ受信に成功したと判断した場合）、生体情報信号に含まれる送信番号を検査すると共に生体情報を記憶に適した形式に変換してメモリ１８２０に記憶して保存する（ステップＳ２０２７）。
次に、生体データ表示処理部１８１７は、ステップＳ２０２８〜ステップＳ２０３０の表示処理を行う。即ち、生体データ表示処理部１８１７は、メモリ１８２０に記憶した前記生体情報を読み出して（ステップＳ２０２８）、表示可能な表示データに変換し（ステップＳ２０２９）、生体情報表示部１８１６に出力する（ステップＳ２０３０）。生体情報表示部１８１６は、生体データ表示処理部１８１７からの表示データを受信して、対応する生体情報の表示を行う。これにより、生体情報表示部１８１６では、送信機１８０１で測定した心拍数が表示される。以後、ステップＳ２０１１に戻って処理が行われる。
一方、受信データ処理部１８１８は、ステップＳ２０２６において、データ受信部１８１９から正常な生体情報信号を受信していないと判断した場合（即ち、データ受信に失敗したと判断した場合）、あるいは、本来受信すべき時点を越えて所定時間を経過した（タイムアウトした）と判断した場合には、メモリ１８２０に記憶されている図２３の送受信レベル設定テーブルを参照して、全ての番号（図２３の例では第１番目から第３番目の３種類）の受信感度レベルによって受信動作を行っていない場合には、ステップＳ２０２１に戻って前記処理を繰り返す（ステップＳ２０３１）。
【０２４２】
この場合、ステップＳ２０２３においては、受信データ処理部１８１８は、図２３の送受信レベル設定テーブルを参照して、受信感度レベル切り替え部１１２２に対して、受信入力回路１８２１の受信感度を所定レベルに再々設定するように指示する。本実施の形態では、受信データ処理部１８１８は、受信感度レベル切り替え部１８２４に対して、受信入力回路１８２１の受信感度を前記第二レベルよりも小さな第三レベル（図２３の３（再々受））にするように指示する。受信感度レベル切り替え部１８２４は、受信データ処理部１８１８からの前記指示に応答して、受信入力回路１８２１の受信感度を前記第三レベルに再々設定し、受信入力回路１８２１は再々受信を行うことになる（ステップＳ２０２４）。
【０２４３】
受信データ処理部１８１８は、ステップＳ２０３１において、全ての番号（図２３の例では第１番目から第３番目の３種類）の受信感度レベルを用いて受信を完了した場合には、ステップＳ２００１に戻って前記処理を繰り返す。
【０２４４】
以上述べたように、本第５の実施の形態によれば、送信機１８０１の通信環境状態に応じた信号送信レベルを所定時間間隔で複数の値に変更しながら送信するように構成すると共に、受信機１８０２の通信環境状態に応じた受信感度を所定時間間隔で複数の値に変更するように構成している。
【０２４５】
即ち、データが同一内容の生体情報信号を送信機１８０１が通信環境に応じた異なる送信レベルで複数回送信し、受信情況に応じて受信機１１０２が通信環境状態に応じた受信感度を変更しながら前記各生体情報信号を受信し、正常に受信したデータを取り込んで、同一データ内容の生体情報信号については再び受信しないように構成している。
【０２４６】
したがって、前記第２、第３、第４の実施の形態で説明した効果を上回り、送信第一レベルと受信第一レベルの組み合わせによる通信においては近距離通信時における受信レベル過大の発生を抑え、送信第二レベルと受信第二レベルの組み合わせによる通信においては、遠距離時の通信特性が良くなり、送信第三レベルと受信第三レベルの組み合わせによる通信においては受信機の受信感度が低いため外部ノイズの影響を抑制しながら送信機からの生体情報を受信するため耐ノイズ性能が向上することとなり、かつ空気中や水中といった通信環境状態に応じて近距離から遠距離通信を良好に行うことが可能に成る。
【０２４７】
また、複数回送信される同一データ内容の生体情報のうち、いずれかの生体情報を適切に受信した場合には、再び同一内容のデータを保存することなく、次の異なるデータ内容の生体情報を第１番目から受信するように構成できるので、効率的な受信か可能になり、省電力化を図ることができる等の効果を奏する。
【０２４８】
また、本実施例で示した通信環境状態は空気中と水中でありこれを判別するための通信環境検出手段に圧力センサを用いたが、本発明が定義する通信環境状態は、空気中か水中かというもの限定しない。本発明が意図する通信環境状態とは、無線通信により情報信号を送信側から受信側に伝播する動作を阻害する可能性のある要素を含む状態である。すなわち、空気に対して水の方が電磁波の吸収率が高いため通信距離が短くなる特性があるため、空気中か手中かを判別することが、通信環境状態を判別するということになる。通信環境状態を定義するその他の事例として、水中における塩分濃度の変化が挙げられる。同じ水中でも、淡水と海水では塩分の有無の影響によって電磁波の吸収率が違う。さらに、塩分の濃度によって電磁波の伝播距離特性が変化することすなわち通信距離が変化することも一般的に知られている。この水中の塩分濃度の変化による通信環境状態を検出するために、塩分濃度センサを構成し、塩分濃度の状態によって変化する電波吸収率に応じて送信レベルを決定したり受信感度を決定したりするよう構成してもよい。その際の動作として、塩分濃度が高い場合は送信出力を高く（より大きな出力レベルで送信する）かつまたは受信感度を大きく（より小さい信号を受信する）ようにする方式にしてもよい。あるいは通信環境状態を定義するもう一つの事例として、無線通信周波数帯域の近傍で発生する外部電磁波ノイズの変化が挙げられる。この外部電磁波ノイズのレベルを検出するための検出センサを構成し、外部ノイズレベルの状態によって変化する妨害に応じて送信レベルを決定したり受信感度を決定したりするよう構成してもよい。その際の動作として、外部電磁はノイズが高い場合、送信出力を高く（より大きな出力レベルで送信する）かつまたは受信感度を小さく（より大きな信号おのみ受信する）ようにする方式にしてもよい。またさらなる通信環境状態を定義する事例として、大気中の電磁波伝播特性が昼間と夜間で変化することが挙げられる。この場合、昼間か夜間かを検出するための受光センサを搭載し、昼間と夜間で変化する電波通信状態に応じて送信レベルを決定したり受信感度を決定したりするよう構成してもよい。
【０２４９】
また、本実施例に示した通信環境検出部については本実施例（第５）の構成に限定するものでなく、第１の実施例に示す送信機、第２の実施例に示す送信機、第３の実施例に示す受信機に対しても加えて構成することが可能である。
【産業上の利用可能性】
【０２５０】
送信側手段から受信側手段に信号を送信する方法や、システムに適用可能である。また、心拍計のみならず、脈拍計や歩数計等、人の心拍、脈拍、歩行等の生体情報を測定する生体情報測定システムをはじめとして、送信側手段及び受信側手段の少なくとも一方を使用者が携帯して使用する構成の携帯型生体情報測定システムに好適である。
【図面の簡単な説明】
【０２５１】
【図１】本発明の第１の実施の形態に係る心拍計システムのブロック図である。
【図２】本発明の第１の実施の形態における処理を示すフローチャートである。
【図３】本発明の第１の実施の形態における処理を示すフローチャートである。
【図４】本発明の第２の実施の形態に係る心拍計システムに使用する受信機のブロック図である。
【図５】本発明の第２の実施の形態における処理を示すフローチャートである。
【図６】本発明の第３の実施の形態に係る心拍計システムのブロック図である。
【図７】本発明の第３の実施の形態における処理を示すフローチャートである。
【図８】本発明の第３の実施の形態における処理を示すフローチャートである。
【図９】本発明の第３の実施の形態における処理を示すフローチャートである。
【図１０】本発明の第３の実施の形態における処理を示すフローチャートである。
【図１１】本発明の第４の実施の形態に係る心拍計システムのブロック図である。
【図１２】本発明の第４の実施の形態における処理を示すフローチャートである。
【図１３】本発明の第４の実施の形態における処理を示すフローチャートである。
【図１４】本発明の第４の実施の形態における処理を示すフローチャートである。
【図１５】本発明の第４の実施の形態における処理を示すフローチャートである。
【図１６】本発明の第４の実施の形態に使用する送受信レベル設定テーブルを示す図である。
【図１７】本発明の実施の形態に使用する生体情報信号のフォーマットを示す図である。
【図１８】本発明の第５の実施の形態に係る心拍計システムのブロック図である。
【図１９】本発明の第５の実施の形態における処理を示すフローチャートである。
【図２０】本発明の第５の実施の形態における処理を示すフローチャートである。
【図２１】本発明の第５の実施の形態における処理を示すフローチャートである。
【図２２】本発明の第５の実施の形態における処理を示すフローチャートである。
【図２３】本発明の第５の実施の形態に使用する送受信レベル設定テーブルを示す図である。
【符号の説明】
【０２５２】
１００、６００、１１００、１８００・・・使用者
１０１、６０１、１１０１、１８０１・・・送信側手段としての送信機
１０２、４０２、６０２、１１０２、１８０２・・・受信側手段としての受信機
１０３、６０３、１１０３、１８０３・・・送信制御手段を構成する心拍検出・送信制御部
１０４、６０４、１１０４、１８０４・・・生体情報検出部
１０５、６０５、１１０５、１８０４・・・センサ（生体情報検出部）１０６、６０６、１１０６、１８０６・・・生体データ蓄積処理部
１０７、６０７、１１０７、１８０７・・・送信データ処理部
１０８、６０８、１１０８、１８０８・・・データ送信部
１０９、１１０９、１８０９・・・送信出力レベル切り替え部
１１０、６１０、１１１０、１８１０・・・第１記憶手段としてのメモリ
１１１、６１１、１１１１、１８１１・・・送信手段を構成する送信出力回路
１１２、６１２、１１１２、１８１２・・・送信手段を構成するアンテナ
１８１３・・・センサ（通信環境検出部、送信機側）
１８１４・・・通信環境検出部（送信機側）
１１３、４１３、６１３、１１１３、１８１５・・・受信制御手段を構成するデータ受信・心拍表示制御部
１１４、４１４、６１４、１１１４、１８１６・・・表示手段としての生体情報表示部
１１５、４１５、６１５、１１１５、１８１７・・・生体データ表示処理部
１１６、４１６、６１６、１１１６、１８１８・・・受信データ処理部
１１７、４１７、６１７、１１１７、１８１９・・・データ受信部
１１８、４１８、６１８、１１１８、１８２０・・・第２記憶手段としてのメモリ
１１９、４１９、６１９、１１１９、１８２１・・・受信手段を構成する受信入力回路
１２０、４２０、６２０、１１２０、１８２２・・・受信手段を構成するアンテナ
４２１、６２１、１１２１、１８２３・・・受信タイミング発生部
６２２、１１２２、１８２４・・・受信感度レベル切り替え部
１８２５・・・センサ（通信環境検出部、受信機側）
１８２６・・・通信環境検出部（受信機側）
【図１】
2007174636.tif 000003
【図２】
2007174636.tif 000004
【図３】
2007174636.tif 000005
【図４】
2007174636.tif 000006
【図５】
2007174636.tif 000007
【図６】
2007174636.tif 000008
【図７】
2007174636.tif 000009
【図８】
2007174636.tif 000010
【図９】
2007174636.tif 000011
【図１０】
2007174636.tif 000012
【図１１】
2007174636.tif 000013
【図１２】
2007174636.tif 000014
【図１３】
2007174636.tif 000015
【図１４】
2007174636.tif 000016
【図１５】
2007174636.tif 000017
【図１６】
2007174636.tif 000018
【図１７】
2007174636.tif 000019
【図１８】
2007174636.tif 000020
【図１９】
2007174636.tif 000021
【図２０】
2007174636.tif 000022
【図２１】
2007174636.tif 000023
【図２２】
2007174636.tif 000024
【図２３】
2007174636.tif 000025